(57)【要約】      （修正有）【課題】有段自動変速機を備え、かつ回生協調ブレーキ制御を行う車両において、制動時における第１の変速完了後、第２の変速が開始されるまでの間における摩擦ブレーキの増圧遅れを防止することにより、運転者の要求する車両減速度を満足できる車両のブレーキ制御装置を提供すること。【解決手段】回生ブレーキトルクが駆動輪に出力されている最中に変速が要求されたとき、回生ブレーキトルク目標値の割合を減少させるとともに摩擦ブレーキトルク目標値の割合を増加させる第１制御と、変速を開始させる第２制御と、回生ブレーキトルク目標値の割合を増加させ第３制御と、を行う回生協調ブレーキ制御手段において、第１の変速終了後の前記第３制御中に、第２の変速の要求を予測し、第２の変速が予測される場合、摩擦ブレーキトルク目標値を減少から増加に切り換えるときの時間当たり変化量の変動を抑制する車両減速度低下防止手段を有する。【選択図】図５
2008013136.tif 000002
【特許請求の範囲】
【請求項１】
モータジェネレータと駆動輪との間に介装され前記モータジェネレータの出力回転を少なくとも２速の変速段により変速して前記駆動輪に伝達する自動変速機と、
前記自動変速機による変速を制御する変速制御手段と、
油圧制御されるアクチュエータにより前記駆動輪に摩擦ブレーキトルクを発生させる摩擦ブレーキと、
前記モータジェネレータが発生する回生トルクにより前記駆動輪に出力される回生ブレーキトルクを制御する回生ブレーキトルク制御手段と、
前記摩擦ブレーキトルクを制御する摩擦ブレーキトルク制御手段と、
運転者のブレーキ操作に応じた車両の目標減速度を達成する前記駆動輪の目標ブレーキトルクを算出する目標ブレーキトルク算出手段と、
前記回生ブレーキトルクが前記駆動輪に出力されている最中に変速が要求されたとき、前記目標ブレーキトルクにおける前記回生ブレーキトルク目標値の割合を減少させるとともに前記摩擦ブレーキトルク目標値の割合を増加させて、前記回生ブレーキトルクを前記摩擦ブレーキトルクに置き換える第１制御と、前記第１制御終了後に前記変速を開始させる第２制御と、前記変速終了後に、前記目標ブレーキトルクにおける前記回生ブレーキトルク目標値の割合を増加させるとともに前記摩擦ブレーキトルク目標値の割合を減少させて、前記摩擦ブレーキトルクを前記回生ブレーキトルクに置き換える第３制御と、を行う回生協調ブレーキ制御手段と、
を備えた車両のブレーキ制御装置において、
第１の変速終了後の前記第３制御中における第２の変速の要求を予測する次回変速要求予測手段を設け、
前記回生協調ブレーキ制御手段は、前記第１の変速終了後の前記第３制御中に前記第２の変速が要求されることにより前記第１制御を開始することが予測される場合、前記摩擦ブレーキトルク目標値を減少から増加に切り換えるときの前記摩擦ブレーキトルク目標値の時間当たり変化量の変動を抑制する車両減速度低下防止手段を有すること
を特徴とする車両のブレーキ制御装置。
【請求項２】
請求項１に記載の車両のブレーキ制御装置において、前記車両減速度低下防止手段は、前記第１の変速終了後の前記第３制御中に、前記第２の変速が要求されるまでの間、前記摩擦ブレーキトルク目標値を一定に保持する摩擦ブレーキトルク保持手段を有することを特徴とする車両のブレーキ制御装置。
【請求項３】
請求項２に記載の車両のブレーキ制御装置において、前記摩擦ブレーキトルク保持手段は、前記目標減速度が大きいほど前記摩擦ブレーキトルク目標値の保持開始時刻を早めることを特徴とする車両のブレーキ制御装置。
【請求項４】
請求項２または３に記載の車両のブレーキ制御装置において、前記摩擦ブレーキトルク保持手段は、前記第１の変速終了後の前記第３制御中に前記第２の変速が要求された以後も、前記摩擦ブレーキトルク目標値の保持を所定時間継続することを特徴とする車両のブレーキ制御装置。
【請求項５】
請求項１に記載の車両のブレーキ制御装置において、前記車両減速度低下防止手段は、前記第１の変速終了後の前記第３制御中に、前記第２の変速が要求されるまでの間、前記回生ブレーキトルク目標値の時間当たり変化量が徐々に小さくなるように補正することにより、前記摩擦ブレーキトルク目標値の時間当たり変化量を徐々に小さくする回生ブレーキトルク目標値補正手段を有することを特徴とする車両のブレーキ制御装置。
【請求項６】
請求項５に記載の車両のブレーキ制御装置において、前記回生ブレーキトルク目標値補正手段は、運転者のブレーキ踏み増しにより前記目標減速度が増加するとき、前記回生ブレーキトルク目標値の時間当たり変化量を大きく設定することを特徴とする車両のブレーキ制御装置。
【請求項７】
請求項５に記載の車両のブレーキ制御装置において、前記回生ブレーキトルク目標値補正手段は、運転者のブレーキ踏み戻しにより前記目標減速度が減少するとき、前記回生ブレーキトルク目標値の時間当たり変化量を小さく設定することにより、前記目標ブレーキトルクに対する前記摩擦ブレーキトルク目標値の時間当たり変化量を小さく設定することを特徴とする車両のブレーキ制御装置。
【請求項８】
請求項１に記載の車両のブレーキ制御装置において、前記車両減速度低下防止手段は、前記第１の変速終了後の前記第３制御中に、前記第２の変速が要求される以前の所定の時刻に、前記摩擦ブレーキトルク目標値を減少から増加に切り換える摩擦ブレーキトルク切換開始時制御手段を有することを特徴とする車両のブレーキ制御装置。
【請求項９】
請求項８に記載の車両のブレーキ制御装置において、前記摩擦ブレーキトルク切換開始時制御手段は、前記目標減速度が大きいほど前記摩擦ブレーキトルク目標値の切換開始時刻を早めることを特徴とする車両のブレーキ制御装置。
【請求項１０】
請求項８または９に記載の車両のブレーキ制御装置において、前記摩擦ブレーキトルク切換開始時制御手段は、前記回生ブレーキトルク目標値が大きいほど前記摩擦ブレーキトルク目標値の切換開始時刻を早めることを特徴とする車両のブレーキ制御装置。
【請求項１１】
請求項８または９に記載の車両のブレーキ制御装置において、前記摩擦ブレーキトルク切換開始時制御手段は、前記自動変速機の減速比が大きいほど前記摩擦ブレーキトルク目標値の切換開始時刻を早めることを特徴とする車両のブレーキ制御装置。
【発明の詳細な説明】
【技術分野】
【０００１】
本発明は、モータジェネレータおよび自動変速機を備えた車両のブレーキ制御装置に関する。
【背景技術】
【０００２】
従来、駆動輪とモータジェネレータ（以下、MG）との間に自動変速機（以下、AT）が介装され、自動変速機ATの変速段を車速に応じて変更することによりモータジェネレータMGからの動力を車速に応じた動力にして駆動輪に出力する自動車の動力出力装置が知られている。この装置においては、制動時に、モータジェネレータMGを回生制御することにより制動力を出力することができる。すなわち、モータジェネレータMGから自動変速機ATを介して駆動輪に制動力（回生ブレーキトルク）を出力可能であり、摩擦ブレーキの制御と併せて回生協調ブレーキ制御を行う。
【０００３】
このタイプの動力出力装置では、回生ブレーキトルクを出力している最中に変速を実行すると、変速ショックが発生する。また、変速に必要なクラッチやブレーキなどに発熱が生じる場合もある。これら変速ショック等を抑制するため、従来技術、例えば特許文献１に記載の装置は、制動中に変速要求がなされた場合、回生ブレーキから摩擦ブレーキに制動力源を切り替えた後に変速を開始し、変速完了後に再び摩擦ブレーキから回生ブレーキに切り替える構成としている。この切り替えの最中、回生ブレーキトルクと摩擦ブレーキトルクとを合わせたトータルのブレーキトルクは要求された値、すなわち目標ブレーキトルクになるように制御されている。
【特許文献１】特開２００５−３２９９２６号公報
【発明の開示】
【発明が解決しようとする課題】
【０００４】
しかし、車両減速度が大きいときには、第１の変速完了後、摩擦ブレーキから回生ブレーキに切り替えている最中に第２の変速要求がなされる場合がある。この場合、上記従来技術では、回生ブレーキから摩擦ブレーキに再び切り替えることになるため、油圧によりブレーキトルクを発生させている摩擦ブレーキについて見れば、減圧状態（減力）から増圧状態（増力）に急に切り替えることとなる。このため、摩擦ブレーキの増圧遅れが発生し、この分だけ摩擦ブレーキトルクが一時的に低下する。よって、トータルのブレーキトルクも摩擦ブレーキトルクの低下分だけ一時的に減少する。すなわち、第１の変速完了後、第２の変速要求があるまでの時間の長さによっては、摩擦ブレーキの応答遅れが発生し、車両減速度が運転者の要求に対して一時的に不足する、という問題があった。
【０００５】
本発明は、上記問題に着目してなされたもので、自動変速機を備え、かつ回生協調ブレーキ制御を行う車両において、制動時における第１の変速完了後、第２の変速が開始されるまでの間における摩擦ブレーキの増圧遅れを防止することにより、運転者の要求する車両減速度を満足できる車両のブレーキ制御装置を提供することを目的とする。
【課題を解決するための手段】
【０００６】
上記目的を達成するため、本発明では、モータジェネレータと駆動輪との間に介装され前記モータジェネレータの出力回転を少なくとも２速の変速段により変速して前記駆動輪に伝達する自動変速機と、前記自動変速機による変速を制御する変速制御手段と、油圧制御されるアクチュエータにより前記駆動輪に摩擦ブレーキトルクを発生させる摩擦ブレーキと、前記モータジェネレータが発生する回生トルクにより前記駆動輪に出力される回生ブレーキトルクを制御する回生ブレーキトルク制御手段と、前記摩擦ブレーキトルクを制御する摩擦ブレーキトルク制御手段と、運転者のブレーキ操作に応じた車両の目標減速度を達成する前記駆動輪の目標ブレーキトルクを算出する目標ブレーキトルク算出手段と、前記回生ブレーキトルクが前記駆動輪に出力されている最中に変速が要求されたとき、前記目標ブレーキトルクにおける前記回生ブレーキトルク目標値の割合を減少させるとともに前記摩擦ブレーキトルク目標値の割合を増加させて、前記回生ブレーキトルクを前記摩擦ブレーキトルクに置き換える第１制御と、前記第１制御終了後に前記変速を開始させる第２制御と、前記変速終了後に、前記目標ブレーキトルクにおける前記回生ブレーキトルク目標値の割合を増加させるとともに前記摩擦ブレーキトルク目標値の割合を減少させて、前記摩擦ブレーキトルクを前記回生ブレーキトルクに置き換える第３制御と、を行う回生協調ブレーキ制御手段と、を備えた車両のブレーキ制御装置において、第１の変速終了後の前記第３制御中における第２の変速の要求を予測する次回変速要求予測手段を設け、前記回生協調ブレーキ制御手段は、前記第１の変速終了後の前記第３制御中に前記第２の変速が要求されることにより前記第１制御を開始することが予測される場合、前記摩擦ブレーキトルク目標値を減少から増加に切り換えるときの前記摩擦ブレーキトルク目標値の時間当たり変化量の変動を抑制する車両減速度低下防止手段を有することを特徴とする。
【発明の効果】
【０００７】
よって、本発明の車両のブレーキ制御装置にあっては、制動時における第１の変速完了後、第２の変速開始までの間の摩擦ブレーキ圧の状態変化を制御することにより、摩擦ブレーキの増圧遅れを防止し、運転者の要求する車両減速度を満足できる。
【発明を実施するための最良の形態】
【０００８】
以下、本発明の車両の制御装置を実現する最良の形態を、図面に示す実施例に基づいて説明する。
【実施例１】
【０００９】
実施例１のブレーキ制御装置は、第１の変速完了後、第２の変速要求よりも早いタイミングで摩擦ブレーキの油圧を一定に保持しておくことにより、第２の変速要求時における摩擦ブレーキの増圧遅れを防止する。
【００１０】
［実施例１の構成]
図１は、実施例１のブレーキ制御装置が適用された後輪駆動車両を示す概略システム図である。実施例１の車両の駆動系は、モータジェネレータMGと、自動変速機ATと、プロペラシャフトPSと、ファイナルギヤＦおよびディファレンシャルD（両者を併せてF/Dと表記）と、左ドライブシャフトDSLと、右ドライブシャフトDSRと、左後輪RL（駆動輪）と、右後輪RR（駆動輪）と、を有している。
【００１１】
モータジェネレータMGは、ロータに永久磁石を埋設しステータにステータコイルが巻き付けられた同期型モータジェネレータであり、制御指令に基づいて、図外のインバータにより作り出された三相交流が印加されることにより、回生ブレーキトルクRBその他の出力トルクおよび出力回転数が制御される。モータジェネレータMGのロータは、図外のダンパを介して自動変速機ATの入力軸に連結されている。
【００１２】
自動変速機ATは、前進５速後退１速等の有段階の変速比を車速やアクセル開度等に応じて自動的に切り換える有段式の自動変速機である。自動変速機ATの出力軸は、プロペラシャフトPS、ディファレンシャルDF、左右ドライブシャフトDSL、DSRを介して左右後輪RL,RRに連結されている。
【００１３】
モータジェネレータMGは、図外のバッテリからの電力の供給を受けて回転駆動する電動機として動作することもできるし（この状態を「力行」と呼ぶ）、ロータが外力により回転している場合には、ステータコイルの両端に起電力を生じさせる発電機として機能してバッテリを充電することもできる（以下、この動作状態を「回生」と呼ぶ）。
【００１４】
車両の定速運転時や加速運転時には、モータジェネレータMGを電動機として利用し、その動力により車両を駆動可能である。また、減速運転時には、モータジェネレータMGを発電機として利用し、運動エネルギーを回生してバッテリの充電に充てるとともに、回生ブレーキトルクRBにより車両を制動可能である。すなわち、モータジェネレータMGから自動変速機ATを介して駆動輪に制動力（回生ブレーキトルクRB）を出力可能である。モータジェネレータMGが出力する回生ブレーキトルクRBは、後述のブレーキコントローラ１からの指令により制御される。
【００１５】
左右後輪RL、RRには、それぞれ、油圧により出力トルク（摩擦ブレーキトルクFB）を制御される摩擦ブレーキアクチュエータFBatrが設けられている。摩擦ブレーキアクチュエータFBatrが出力する摩擦ブレーキトルクFBの大きさは、後述するブレーキコントローラ１からの指令により制御される。
【００１６】
次に、実施例１の車両の制御系を説明する。制御系は、図１に示すように、ブレーキコントローラ１およびATコントローラ２を有している。ブレーキコントローラ１およびATコントローラ２は、情報交換が可能なCAN通信線を介して互いに接続されている。図２は、ブレーキコントローラ１およびATコントローラ２の構成を示すブロック図である。
【００１７】
（ATコントローラ）
ATコントローラ２は、図３に示すように、車速Vとアクセルペダル開度APOとに応じて予め目標変速段が設定された変速線マップ（シフトマップ）を有している。なお、図３では、ダウンシフト線のみを示す。ATコントローラ２は、このシフトマップを用いて、アクセル開度センサ３４からのアクセル開度APOと車速センサ（AT出力回転数センサ）３５からの現在車速Vcurとに基づき、変速の実行を判断する。また、上記判断に基づき、変速制御指令、すなわち自動変速機ATの摩擦締結要素（クラッチやブレーキ）の締結および開放を制御する指令を演算して、AT油圧コントロールバルブに出力する。
【００１８】
図２に示すように、ATコントローラ２は、本発明のブレーキ制御に係る各部として、現在車速検出部２１と、次回変速要求車速算出部２２と、現在シフト位置検出部２３と、次回シフト位置算出部２４と、モータ回転数検出部２５と、を有している（車両減速度低下防止手段）。
【００１９】
現在車速検出部２１は、車速センサ３５からのセンサ情報の入力を受け、現在の車速Vcurを検出する。
【００２０】
次回変速要求車速算出部２２は、図３に示すシフトマップを用いて、現在車速Vcurに基づき、次回の変速が要求される車速Vnextを算出する。アクセル開度APOがゼロの横軸とダウンシフト線とが交わる複数の点のうち、現在車速Vcurよりも低速段側（低車速側）の点の車速を、次回変速要求車速Vnextとする。例えば、現在車速Vcurが図３の位置にあるとき、次回変速要求車速Vnextは、アクセル開度ゼロの横軸が３→２変速線と交わる点の車速となる。
【００２１】
現在シフト位置検出部２３は、図３に示すシフトマップを用いて、現在車速Vcurに基づき、現在のシフト位置GPcurを検出する。アクセル開度APOがゼロの横軸上に位置する現在車速Vcurの点が、どのようなダウンシフト線に挟まれているかにより、現在シフト位置GPcurを判定する。例えば、横軸上の現在車速Vcurの点が図３の位置にあるとき、４→３変速線と３→２変速線に挟まれているため、現在シフト位置GPcurは３速となる。
【００２２】
次回シフト位置算出部２４は、図３に示すシフトマップを用いて、現在のシフト位置GPcurに基づき、次回のシフト位置GPnextを算出する。本発明のブレーキ制御においては、ダウンシフト前後のブレーキ制御を対象とするため、現在シフト位置GPcurより低速段側のシフト位置を次回シフト位置GPnextとする。例えば、現在シフト位置GPcurが３速であるとき、次回シフト位置GPnextは２速となる。
【００２３】
なお、車両が減速することにより、現在車速Vcurが図３の点の位置から減少方向に移動し、次回変速要求車速Vnextの点と一致したときは、現在シフト位置GPcurと次回シフト位置GPnextが一致する。このとき、目標変速段が３速から２速に切り替わり、次回の変速（ダウンシフト）の実行が判断される。現在シフト位置GPcurと次回シフト位置GPnextとの上記一致は、変速要求としてブレーキコントローラ１において検出される。ATコントローラ２は、ブレーキコントローラ１からの変速開始の許可信号の入力を受けると、変速制御指令をAT油圧コントロールバルブに出力して、上記ダウンシフトを実行する。
【００２４】
モータ回転数検出部２５は、モータ回転数センサ３６からのセンサ情報の入力を受け、モータジェネレータMGの出力回転数MGrev、言い換えれば自動変速機ATの入力回転数を検出する。
【００２５】
なお、アクセル開度APO、現在車速Vcur、次回変速要求車速Vnext、現在シフト位置GPcur、次回シフト位置GPnextの情報は、CAN通信線を介してブレーキコントローラ１へ供給される。
【００２６】
（ブレーキコントローラ）
ブレーキコントローラ１は、ブレーキストロークセンサ３１や４輪の各車輪速を検出する車輪速センサ３２等のセンサ情報の入力を受け、例えば、ブレーキ踏み込み制動時、目標ブレーキトルクTQ*に対して回生ブレーキトルクRBだけでは不足する場合、その不足分を摩擦ブレーキトルクFBで補うように、回生協調ブレーキ制御を行う。具体的には、回生ブレーキトルクの指令値RB*と摩擦ブレーキトルクの指令値FB*とを算出し、各指令値をそれぞれモータジェネレータMGおよび摩擦ブレーキアクチュエータFBatrに出力して、回生ブレーキトルク制御と摩擦ブレーキトルク制御とを協調して行う。
【００２７】
また、ブレーキコントローラ１は、ATコントローラ２と連携して、以下の第1〜第3制御からなる回生協調ブレーキ制御を行う。すなわち、回生ブレーキトルクRBを駆動輪RR,RLに出力させている最中に変速が要求されたとき、目標ブレーキトルクTQ*における回生ブレーキトルクRBの割合を減少させるとともに摩擦ブレーキトルクFBの割合を増加させて、回生ブレーキトルクRBを摩擦ブレーキトルクFBに置き換える第１制御と、上記置き換え終了後に上記変速を開始させる第２制御と、上記変速の終了後に、目標ブレーキトルクTQ*における回生ブレーキトルクRBの割合を増加させるとともに摩擦ブレーキトルクFBの割合を減少させて、摩擦ブレーキトルクFBを回生ブレーキトルクRBに置き換える第３制御と、を行う。これにより、従来技術と同様、回生ブレーキトルクRBの出力中に変速を実行することによる変速ショック等が発生を防止する。
【００２８】
図２に示すように、ブレーキコントローラ１は、本発明のブレーキ制御に係る各部として、目標減速度算出部１１と、目標ブレーキトルク算出部１２と、変速要求検出部１３と、最大回生可能トルク算出部１４と、次回変速要求時間算出部１５と、回生ブレーキトルク指令値算出部１６と、摩擦ブレーキトルク指令値算出部１７と、回生ブレーキトルク増力完了判定部１８と、変速許可判定部１９と、を有している（車両減速度低下防止手段）。
【００２９】
目標減速度算出部１１は、ブレーキストロークセンサ３１から図外のブレーキペダルの踏み込み量（ブレーキストローク量S）の入力を受け、図４に示すマップ１を用いて、目標減速度Gs*を算出する。マップ１では、ブレーキストローク量Sが大きいほど、目標減速度Gs*の増加率が大きくなるように設定されている。
【００３０】
目標ブレーキトルク算出部１２は、目標減速度Gs*の達成のために４輪の各車輪に要求されるブレーキトルク、すなわち目標ブレーキトルクTQ*を算出する。目標ブレーキトルクTQ*は、運転者の要求する車両減速度Gs（目標減速度Gs*）に対応している。
【００３１】
変速要求検出部１３は、ATコントローラ２からの現在シフト位置GPcurの情報と次回シフト位置GPnextの情報とに基づき、変速要求の有無を検出する。
【００３２】
最大回生可能トルク算出部１４は、回生ユニット側の最大回生可能トルクRBmax0、すなわちモータジェネレータMGが出力可能な回生ブレーキトルクRBの最大値を検出して、これを目標ブレーキトルクTQ*と比較することにより、実際に利用可能な最大回生可能トルクRBmaxを算出する。
【００３３】
次回変速要求時間算出部１５は、現在の車速Vcurと次回の変速要求車速Vnextとの偏差ΔVを算出し、この車速偏差ΔVおよび目標減速度Gs*に基づき、次回の変速要求があるまでの時間Tnextを算出する。
【００３４】
回生ブレーキトルク指令値算出部１６は、後述するような種々の判定結果に応じて、回生ブレーキトルクの指令値RB*を算出する。
【００３５】
摩擦ブレーキトルク指令値算出部１７は、目標ブレーキトルクTQ*および回生ブレーキトルク指令値RB*に基づき、摩擦ブレーキトルクの指令値FB*を算出する。
【００３６】
回生ブレーキトルク増力完了判定部１８は、前回制御周期における回生ブレーキトルク指令値RB*(n-1)および最大回生可能トルクRBmaxに基づき、回生ブレーキトルクRBの増力が完了したか否か、すなわち実際の回生ブレーキトルクRBが最大回生可能トルクRBmaxまで増力されているか否かを判定する。
【００３７】
変速許可判定部１９は、ATコントローラ２から変速要求があった後、回生ブレーキから摩擦ブレーキへの切り替えが完了したとき、すなわち回生ブレーキトルクRBの減力および摩擦ブレーキトルクFBの増力が完了したとき、変速開始の許可信号をATコントローラ２に出力する。具体的には、回生ブレーキトルク指令値RB*がゼロになったとき変速を許可し、ゼロになっていないときは変速を許可しない。
【００３８】
［実施例１の作用]
以下、実施例１の車両において、運転者がブレーキペダルを踏み込んで制動力を作用させている最中に、ブレーキコントローラ１において演算されるブレーキ制御を説明する。図５は、この制御の流れを示すメインフローチャートである。この演算は、所定時間毎に繰り返し実行される。
【００３９】
ステップS1では、図４に示すマップ１を用いて、運転者の操作によるブレーキストローク量Sから車両の目標減速度Gs*を算出する。その後、ステップS2に移る。
【００４０】
ステップS2では、目標減速度Gs*の達成のために各輪に要求されるブレーキトルク、すなわち目標ブレーキトルクTQ*を、目標減速度Gs*および車両モデルから算出する。その後、ステップS3に移る。
【００４１】
ステップS3では、ATコントローラ２から現在シフト位置GPcurの情報を取得する。その後、ステップS4に移る。
【００４２】
ステップS4では、ATコントローラ２から次回シフト位置GPnextの情報を取得する。その後、ステップS5に移る。
【００４３】
ステップS5では、現在シフト位置GPcurと次回シフト位置GPnextとを比較し、ATコントローラ２からの変速要求の有無を検出する。具体的には、現在シフト位置GPcurと次回シフト位置GPnextとが異なっていれば、変速要求がないと判断して、ステップS6に移る。一方、現在シフト位置GPcurと次回シフト位置GPnextとが同じであれば、変速要求があったと判断して、ステップS19に移る。
【００４４】
（変速要求がない場合）
ステップS6〜S18は、変速要求がない場合における、摩擦ブレーキトルク指令値FB*算出の流れを示す。
【００４５】
ステップS6では、最大回生可能トルクRBmax、すなわちタイヤ端における回生ブレーキトルクRBの利用可能な最大値を算出する。図６は、その算出の流れを示すサブフローチャートである。
【００４６】
（回生ユニット側の最大回生可能トルクの算出）
ステップS61では、回生ユニット側の最大回生可能トルクRBmax0、すなわちモータジェネレータMGが出力可能な回生ブレーキトルクの最大値を算出する。図７は、その算出の流れを示すサブフローチャートである。
【００４７】
ステップS611では、モータジェネレータMGの出力回転数MGrevを検出する。その後、ステップS612に移る。
【００４８】
ステップS612では、モータ回転数MGrev（AT入力回転数）と現在車速Vcur（AT出力回転数）とに基づき、現在の変速比Gratioを算出する。その後、ステップS613に移る。
【００４９】
ステップS613では、図７に示すマップ２を用いて、モータ回転数MGrevに基づき、モータジェネレータMGの出力軸においてモータジェネレータMGが出力可能な回生ブレーキトルクの最大値、すなわちモータ回生可能トルクTmgを算出する。その後、ステップS614に移る。
【００５０】
ステップS614では、回生ユニット側の最大回生可能トルクRBmax0、すなわちタイヤ端においてモータジェネレータMGが出力可能な回生ブレーキトルクの最大値を、RBmax0＝Tmg×Gratio×mTrqtoForceにより算出する。すなわち、モータ回生可能トルクTmgに変速比Gratioを乗算することによりギヤ比換算し、さらに定数mTrqtoForceを乗算することによりタイヤ端で発生するブレーキトルクに変換する。その後、本サブルーチンを終了し、ステップS62に移る。
【００５１】
（最大回生可能トルクの算出）
ステップS62では、回生ユニット側の最大回生可能トルクRBmax0を目標ブレーキトルクTQ*と比較する。回生ユニット側の最大回生可能トルクRBmax0が、目標ブレーキトルクTQ*以下であれば、ステップS63に移り、目標ブレーキトルクTQ*よりも大きければ、ステップS64に移る。
【００５２】
ステップS63では、タイヤ端における回生ブレーキトルクとして実際に利用可能な最大値は、回生ユニット側の最大回生可能トルクRBmax0であると判断して、最大回生可能トルクRBmaxとして回生ユニット側の最大回生可能トルクRBmax0の値を設定する。その後、本サブルーチンを終了し、ステップS7に移る。
【００５３】
ステップS64では、タイヤ端における回生ブレーキトルクとして実際に利用可能な最大値は、目標ブレーキトルクTQ*であると判断して、最大回生可能トルクRBmaxとして目標ブレーキトルクTQ*の値を設定する。その後、本サブルーチンを終了し、ステップS7に移る。
【００５４】
ステップS7では、前回制御周期における回生ブレーキトルク指令値RB*(n-1)と最大回生可能トルクRBmaxとを比較する。前回の回生ブレーキトルク指令値RB*(n-1)が最大回生可能トルクRBmaxと一致すれば、実際の回生ブレーキトルクRBが最大回生可能トルクRBmaxまで増大され、回生ブレーキトルクRBの増力が完了していると判断し、ステップS13に移る。一方、前回の回生ブレーキトルク指令値RB*(n-1)が最大回生可能トルクRBmax未満であれば、実際の回生ブレーキトルクRBが最大回生可能トルクRBmaxまで増大されておらず、回生ブレーキトルクRBの増力が完了していないと判断し、ステップS8に移る。
【００５５】
（回生ブレーキトルクの増力が完了している場合）
ステップS13、S14は、回生ブレーキトルクRBの増力が完了している場合における、回生ブレーキトルク指令値RB*および摩擦ブレーキトルク指令値FB*の算出の流れを示す。
【００５６】
ステップS13では、前回の変速が終了した後、摩擦ブレーキから回生ブレーキへの切り替えが完了しており、かつ、次回の変速要求も未だなされていないため、回生ブレーキトルクの指令値RB*として、最大回生可能トルクRBmaxを設定する（RB*＝RBmax）。すなわち、すでに完了している回生ブレーキへの切り替えを継続する。
【００５７】
ステップS14では、目標ブレーキトルクTQ*から回生ブレーキトルク指令値RB*を差し引くことにより、摩擦ブレーキトルク指令値FB*を算出する（FB*＝TQ*−RB*）。その後、ステップS21に移る。
【００５８】
ここで、ステップS6において設定された最大回生可能トルクRBmaxが回生ユニット側の最大回生可能トルクRBmax0であった場合、摩擦ブレーキトルク指令値FB*は正の値をとる。すなわち、摩擦ブレーキが、回生ブレーキトルクRBでは足りない分のトルク（摩擦ブレーキトルクFB）を供給することにより、目標ブレーキトルクTQ*が達成される。一方、ステップS6において設定された最大回生可能トルクRBmaxが目標ブレーキトルクTQ*であった場合、摩擦ブレーキトルク指令値FB*はゼロの値をとる。すなわち、回生ブレーキトルクRBによってのみ目標ブレーキトルクTQ*が達成され、摩擦ブレーキトルクFBは不要となる。
【００５９】
（回生ブレーキトルクの増力が未完了の場合）
ステップS8〜S12、S15〜S18は、回生ブレーキトルクRBの増力が完了していない場合における、回生ブレーキトルク指令値RB*および摩擦ブレーキトルク指令値FB*の算出の流れを示す。
【００６０】
ステップS8では、ATコントローラ２から次回の変速要求車速Vnextの情報を取得する。その後、ステップS9に移る。
【００６１】
ステップS9では、ATコントローラ２から現在車速Vcurの情報を取得する。その後、ステップS10に移る。
【００６２】
ステップS10では、車速偏差ΔV（＝｜Vnext−Vcur｜）、すなわち現在車速Vcurと次回変速要求車速Vnextとの偏差を算出する。その後、ステップS11に移る。
【００６３】
ステップS11では、車速偏差ΔVおよび目標減速度Gs*に基づき、現在時から次回の変速要求があるまでの時間Tnextを算出する。具体的には、Tnext＝ΔV／Gs*により算出する。その後、ステップS12に移る。
【００６４】
ステップS12では、次回の変速要求があるまでの時間Tnextと所定の摩擦ブレーキトルク保持時間Choldとを比較する。次回の変速要求があるまでの時間Tnextが、所定の摩擦ブレーキトルク保持時間Choldよりも長いときは、ステップS15に移り、所定の摩擦ブレーキトルク保持時間Chold以下となったときは、ステップS17に移る。なお、摩擦ブレーキトルクFBの保持とは、具体的には摩擦ブレーキアクチュエータFBatrの液圧（油圧）の一定保持である。
【００６５】
（次回変速要求までの時間が所定時間よりも長いとき）
ステップS15では、回生ブレーキトルク指令値RB*を算出する。具体的には、回生ブレーキトルク指令値RB*を、前回の算出値RB*(n-1)から所定値CRBIncだけ増大させる（RB*＝RB*(n-1)＋CRBInc）。その後、ステップS16に移る。
【００６６】
ステップS16では、ステップS14と同様に、摩擦ブレーキトルク指令値FB*を算出した後、ステップS21に移る。
【００６７】
ここで、ステップS15により、回生ブレーキトルク指令値RB*は、次回の変速要求があるまでの時間Tnextが所定の保持時間Chold以下となるまでの間、制御周期ごとに徐々に増大される。ステップS16で、摩擦ブレーキトルク指令値FB*は、一定値である目標ブレーキトルクTQ*から差し引いて算出されるため、TnextがChold以下となるまでの間、摩擦ブレーキトルク指令値FB*は、制御周期ごとに徐々に減少する。
【００６８】
（次回変速要求までの時間が所定時間よりも短いとき）
ステップS17では、回生ブレーキトルク指令値RB*を、前回の算出値RB*(n-1)のまま保持する。具体的には、RB*＝RB*(n-1)により、回生ブレーキトルク指令値RB*を算出する。その後、ステップS18に移る。
【００６９】
ステップS18では、ステップS14と同様に、摩擦ブレーキトルク指令値FB*を算出した後、ステップS21に移る。
【００７０】
ここで、ステップS17により、回生ブレーキトルク指令値RB*は、前回の算出値RB*(n-1)のまま保持されている。ステップS18で、摩擦ブレーキトルク指令値FB*は、一定値である目標ブレーキトルクTQ*から差し引いて算出されるため、TnextがChold以下となっている間、摩擦ブレーキトルク指令値FB*は、前回の算出値FB*(n-1)のまま保持される。
【００７１】
（変速要求があった場合）
ステップS19、S20は、変速要求があった場合における、摩擦ブレーキトルク指令値FB*算出の流れを示す。
【００７２】
ステップS19では、回生ブレーキトルク指令値RB*を、前回の算出値RB*(n-1)から所定値CRBDecだけ減少させる。具体的には、RB*＝RB*(n-1)−CRBDecにより、回生ブレーキトルク指令値RB*を算出する。その後、ステップS20に移る。
【００７３】
ステップS20では、ステップS14と同様に、摩擦ブレーキトルク指令値FB*を算出した後、ステップS21に移る。
【００７４】
ここで、ステップS19により、回生ブレーキトルク指令値RB*は、ゼロとなるまでの間、制御周期ごとに徐々に減少する。ステップS20で、摩擦ブレーキトルク指令値FB*は、一定値である目標ブレーキトルクTQ*から差し引いて算出されるため、摩擦ブレーキトルク指令値FB*は、その最大値であるTQ*になるまでの間、制御周期ごとに徐々に増加する。
【００７５】
（サーボ制御）
ステップS21では、ステップS13、S15、S17、S19で算出した回生ブレーキトルク指令値RB*をモータジェネレータMGに出力する。モータジェネレータMGは、この指令値RB*に基づき回生ブレーキトルクRBを出力し、この出力値はサーボ機構により制御される。
【００７６】
ステップS22では、ステップS14、S16、S18、S20で算出した摩擦ブレーキトルク指令値FB*を各輪の摩擦ブレーキアクチュエータFBatrに出力する。各摩擦ブレーキアクチュエータFBatrは、この指令値FB*に基づき摩擦ブレーキトルクFBを出力し、この出力値は、サーボ機構により制御される。
【００７７】
（タイムチャート）
図８は、第1の変速が終了した後、第2の変速が要求されて実際に第2の変速が開始されるまでの間における、本実施例1のブレーキ制御を、従来技術によるブレーキ制御と対比して示したタイムチャートである。回生ブレーキトルク、摩擦ブレーキトルク、および車両減速度につき、実線で本実施例1を、破線で従来技術を示す。以下、このタイムチャートについて説明する。説明のため、第1の変速を4速から3速へのダウンシフト（４→３変速）、第2の変速を3速から2速へのダウンシフト（３→２変速）と仮定する。また、ブレーキトルクのタイムチャートにおいて、縦軸下方を正方向と定義する。なお、運転者がブレーキペダルを踏んでいる最中であっても、第1の変速が3速から2速へのダウンシフト（３→２変速）であり、第2の変速が2速から3速へのアップシフト（２→３変速）であるような場合はありえる。
【００７８】
時刻t1に、第1の変速が終了する。時刻t4に、第2の変速が開始される。変速が行われていない時刻t1からt4までの間に、ブレーキ制御を行う。
【００７９】
時刻t1において、第1の変速（４→３変速）が終了し、ブレーキ制御が開始される。ここで、目標減速度Gs*および目標ブレーキトルクTQ*が算出される（図５のステップS1、S2）。全ての時点を通じて、目標減速度Gs*は一定であると仮定しているため、目標減速度Gs*に基づき算出される目標ブレーキトルクTQ*も一定である。
【００８０】
また、現在のシフト位置GPcurである３速が検出され、図３に示すシフトマップに基づき、次回のシフト位置GPnextである２速が算出される（ステップS3、S4）。車速Vが第2の変速（３→２変速）を要求する車速Vnextとなる時刻t3までは、GPcur（3速）≠GPnext（2速）である。このため、時刻t3までは、変速要求がないと判断し、まず、最大回生可能トルクRBmaxを算出する（ステップS5、S6）。
【００８１】
本タイムチャートにおいては、モータジェネレータMGの最大回生可能トルクRBmax0が目標ブレーキトルクTQ*を上回る場合、すなわち、最大回生可能トルクRBmaxとして目標ブレーキトルクTQ*が設定される場合の例を示す（ステップS61〜S64）。
【００８２】
また、本タイムチャートにおいては、時刻t1以降、回生ブレーキトルクRBが最大回生可能トルクRBmax（＝目標ブレーキトルクTQ*）にまで達せず、回生ブレーキトルクRBの増力が完了しない場合の例を示す（ステップS7）。よって、次回変速（３→２変速）までの時間Tnextを算出する（ステップS8〜S11）。
【００８３】
時刻t1からt2までの間は、Tnextのほうが所定の保持時間Choldよりも大きいため、回生ブレーキトルクRBを、制御周期ごとに所定値CRBIncずつ徐々に増加させる（ステップS15、S21）。同時に、摩擦ブレーキアクチュエータFBatrの液圧を徐々に減少させ、摩擦ブレーキトルクFBを、制御周期ごとに所定値CRBIncずつ徐々に減少させる（ステップS16、S22）。
【００８４】
時刻t2において、Tnextが所定の保持時間Chold以下に切り替わるため、回生ブレーキトルクRBをその時点における値に保持する（ステップS12、S17、S21）。
【００８５】
時刻t2からt3までの間は、Tnextが所定の保持時間Chold以下であるため、回生ブレーキトルクRBを、時刻t2における値に保持する（ステップS17、S21）。同時に、摩擦ブレーキトルクFBを、時刻t2における値に保持する（ステップS18、S22）。言い換えれば、摩擦ブレーキアクチュエータFBatrの液圧を一定値に保持する。
【００８６】
時刻t3において、現在車速Vcurが第2の変速要求車速Vnextにまで低下すると、現在シフト位置GPcurと次回シフト位置GPnextが一致し、第2の変速が要求される（ステップS5）。よって、t3以降、回生ブレーキトルクRBを、制御周期ごとに所定値CRBDecずつ徐々に減少させる（ステップS19、S21）。同時に、摩擦ブレーキアクチュエータFBatrの液圧を徐々に増大させ、摩擦ブレーキトルクFBを、制御周期ごとに所定値CRBDecずつ徐々に増加させる（ステップS20、S22）。
【００８７】
時刻t4において、回生ブレーキトルクRBがゼロになり回生ブレーキトルクRBの減力が完了するとともに、摩擦ブレーキトルクFBが目標ブレーキトルクTQ*となり摩擦ブレーキトルクFBの増力が完了する。このように回生ブレーキから摩擦ブレーキへの切り替えが完了すると、第2の変速を開始する。
【００８８】
（従来技術との対比における本実施例1の作用効果）
従来技術では、第１の変速が完了したt1後、摩擦ブレーキから回生ブレーキに切り替えている最中のt3に第２の変速要求がなされた場合、摩擦ブレーキを減圧状態から増圧状態に急に切り替えることとなる。言い換えると、摩擦ブレーキトルク指令値FB*の時間変化を示す直線の傾きが、第2の変速要求があるt3の前後で、図８の右肩上がり（減圧）から右肩下がり（増圧）へ急激に変化する。よって、図８に示す角度αが比較的小さい。
【００８９】
このため、t3後、摩擦ブレーキトルク指令値FB*に対して摩擦ブレーキアクチュエータFBatrの増圧遅れが発生し、摩擦ブレーキトルク実値FBが指令値FB*よりも一時的に減少する。摩擦ブレーキトルクFBの減少分だけ、トータルの実ブレーキトルクTQも目標ブレーキトルクTQ*に対して一時的に減少する。したがって、第１の変速完了後、第２の変速要求があるまでの時間の長さによっては、摩擦ブレーキから回生ブレーキに切り替えている最中に第２の変速要求がなされることにより、車両減速度Gsが運転者の要求する目標減速度Gs*に対して一時的に不足する、という問題があった。
【００９０】
これに対して、実施例１のブレーキ制御装置は、第１の変速が完了したt1後、第２の変速要求があるt3よりも早いタイミングのt2で摩擦ブレーキ圧を一定に保持しておくことにより、第２の変速要求時の摩擦ブレーキ増圧遅れを防止する。
【００９１】
すなわち、第１の変速完了後、第2の変速要求があるまでの時間Tnextを算出することとし、さらに所定の保持時間Choldを設けて、TnextがChold以下に切り替わった時点t2から、摩擦ブレーキアクチュエータFBatrの液圧を一定時間Choldだけ一定値に保持することとした。これにより、第２の変速要求がなされるt3の前後で、摩擦ブレーキを減圧状態から増圧状態に急に切り替えることがない。摩擦ブレーキトルク指令値FB*は、第2の変速要求があるt3の直前まで一定値に保たれ、その時間変化を示す直線の傾きは、t3の前後で、図８の平坦な状態（保持）から右肩下がり（増圧）へ緩やかに変化する。よって、図８に示す角度α１が比較的大きい（α１>α）。
【００９２】
このため、t3後、摩擦ブレーキトルク指令値FB*に対する摩擦ブレーキアクチュエータFBatrの増圧遅れが抑制され、摩擦ブレーキトルク指令値FB*に対する実値FBの一時的な減少分も、その大きさおよび時間の幅が従来技術よりも小さい。よって、トータルの実ブレーキトルクTQの目標ブレーキトルクTQ*に対する一時的な減少分も同様に小さいため、第１の変速完了後、第２の変速要求があるまでの時間Tnextの長さに関わらず、車両減速度Gsが運転者の要求する目標減速度Gs*に対して不足する事態が防止される。
【００９３】
（実験結果）
図９は、第２の変速要求時における摩擦ブレーキ増圧遅れの実験結果を、従来技術と実施例1との間で対比して示したものである。従来技術においては、第２の変速要求がなされるt3の前後で、摩擦ブレーキ（摩擦ブレーキトルク指令値FB*）を減圧状態から増圧状態に急に切り替える。このため、t3後の摩擦ブレーキトルク指令値FB*の上昇に対応した摩擦ブレーキトルク実値FBの上昇が実際に生じるのは、t3から170ms後であり、この時間の分だけ摩擦ブレーキの増圧遅れが発生する。
【００９４】
一方、本実施例1においては、第２の変速要求がなされるt3の前後で、摩擦ブレーキ（摩擦ブレーキトルク指令値FB*）は保持状態から増圧状態に緩やかに切り替えられる。このため、t3後の摩擦ブレーキトルク指令値FB*の上昇に対応した摩擦ブレーキトルク実値FBの上昇が実際に生じるのは、従来技術よりも早く、t3から100ms後であり、この分しか摩擦ブレーキの増圧遅れが発生しない。言い換えると、本実施例1のブレーキ制御装置においては、摩擦ブレーキの増圧遅れを、従来技術の170msよりも70msだけ解消することができ、従来技術に対し約４１％、時間の短縮化を達成している。
【００９５】
（補足説明）
従来技術においては、強い減速が要求される場合、すなわち目標減速度Gs*が大きい場合には、第1の変速が完了し、摩擦ブレーキから回生ブレーキに切り替えている最中に第2の変速要求がなされるおそれがある。すなわち、摩擦ブレーキの増圧遅れが発生しやすい。
【００９６】
本実施例1のブレーキ制御装置においては、第２の変速要求があるまでの時間Tnextは、車速偏差ΔVおよび目標減速度Gs*に基づき算出される（Tnext＝ΔV／Gs*）。ブレーキストローク量Sが大きく、目標減速度Gs*が大きい場合には、算出されるTnextはその分だけ短くなる。よって、目標減速度Gs*が大きいほど、Tnextが所定の保持時間Chold以下に切り替わるまでの時間が短くなり、摩擦ブレーキトルクFBの一定保持を開始するタイミングはそれだけ早まる。言い換えると、目標減速度Gs*が大きく、第２の変速要求がなされるまでの時間が短い場合でも、必ず保持時間Choldを確保できる。したがって、目標減速度Gs*の大きさに関わらず、実際の車両減速度Gsが運転者の要求する目標減速度Gs*に対して不足する事態が防止される。
【００９７】
なお、所定の保持時間Choldそれ自体が長く設定されていれば、Tnextが保持時間Chold以下に切り替わるまでの時間が短くなり、摩擦ブレーキトルクFBの一定保持を開始するタイミングt2はそれだけ早まる。このとき、摩擦ブレーキトルク指令値FB*の減少速度（所定値CRBIncに相当）が一定である限り、t1からt2までの摩擦ブレーキトルクFBの減少幅は小さくなるため、保持される摩擦ブレーキトルクFBの値は大きくなる。よって、第2の変速要求があったt3以降、保持されていた摩擦ブレーキトルクFBの増力が完了するまでに要する時間（t3〜t4）も、摩擦ブレーキトルク指令値FB*の増加速度（所定値CRBDecに相当）が一定である限り、短くなる。言い換えれば、第2の変速要求があったt3後、実際に第2の変速を開始できるt4までの時間が、従来技術（t6）と比べて早まるため、変速の応答性がよい。
【００９８】
ただし、所定の保持時間Choldが長く設定されていると、上記のように、保持される摩擦ブレーキトルクFBの値も大きくなる。言い換えると、保持される回生ブレーキトルクRBの値が小さくなる。このため、回生エネルギーの積算量が抑制され、この分だけ燃費の向上を図れない。
【００９９】
一方、所定の保持時間Choldが短く設定されていると、回生エネルギーは増大するが、上記のような変速の応答性の向上が図れない。また、保持時間Choldを短く設定しすぎると、摩擦ブレーキ液圧の保持状態を実質上維持できなくなり、摩擦ブレーキ液圧の状態変化を効果的に抑制できないず、摩擦ブレーキの増圧遅れを防止できないおそれがある。
【０１００】
よって、所定の保持時間Choldの長さは、変速応答性や燃費の向上、車両減速度不足の効果的な防止、といった得失を衡量して設定される。
【０１０１】
なお、図８の二点鎖線に示すように、第2の変速要求があったt3以降も、さらに摩擦ブレーキトルク指令値FB*の保持を継続する構成としてもよい。このとき、保持の継続は、保持終了後における摩擦ブレーキトルクFBの増圧が完了する時刻が、保持を行わなかった場合（破線）における摩擦ブレーキトルクFBの増圧完了時刻t5よりも遅くならない範囲でおこなうこととする。
【０１０２】
このような構成をとった場合、回生ブレーキトルクRBを保持する時間Choldを実質的に長くしたことになるため、回生エネルギーの積算量が増加し、この分だけ燃費の向上を図ることができる（図８の斜線部分）。また、保持終了後における摩擦ブレーキトルクFBの増圧完了時刻t5が従来技術と変わらないため、変速応答性が低下するおそれもない。
【０１０３】
［実施例1の効果］
本実施例1のブレーキ制御装置は、以下に列挙する効果を得ることができる。
【０１０４】
（１）モータジェネレータMGと駆動輪RR,RLとの間に介装されモータジェネレータMGの出力回転を少なくとも２速（前進５速後退１速等）の変速段により変速して駆動輪RR,RLに伝達する自動変速機ATと、自動変速機ATによる変速を制御する変速制御手段（ATコントローラ２）と、油圧制御されるアクチュエータFBatrにより駆動輪RR,RLに摩擦ブレーキトルクFBを発生させる摩擦ブレーキと、モータジェネレータMGが発生する回生トルクにより駆動輪RR,RLに出力される回生ブレーキトルクRBを制御する回生ブレーキトルク制御手段と、摩擦ブレーキトルクFBを制御する摩擦ブレーキトルク制御手段と、運転者のブレーキ操作（ブレーキストローク量S）に応じた車両の目標減速度Gs*を達成する駆動輪RR,RLの目標ブレーキトルクTQ*を算出する目標ブレーキトルク算出手段（目標減速度算出部１１、目標ブレーキトルク算出部１２）と、回生ブレーキトルクRBが駆動輪RR,RLに出力されている最中に変速が要求されたとき、目標ブレーキトルクTQ*における回生ブレーキトルク指令値RB*の割合を減少させるとともに摩擦ブレーキトルク指令値FB*の割合を増加させて、回生ブレーキトルクRBを摩擦ブレーキトルクFBに置き換える第１制御と、第１制御終了後に上記変速を開始させる第２制御と、上記変速の終了後に、目標ブレーキトルクTQ*における回生ブレーキトルク指令値RB*の割合を増加させるとともに摩擦ブレーキトルク指令値FB*の割合を減少させて、摩擦ブレーキトルクFBを回生ブレーキトルクRBに置き換える第３制御と、を行う回生協調ブレーキ制御手段（ブレーキコントローラ１、ATコントローラ２）と、を備えた車両のブレーキ制御装置において、第１の変速終了後の第３制御中における第２の変速の要求を予測する次回変速要求予測手段（次回変速要求時間算出部１５、ステップS1、S8〜S11等）を設け、回生協調ブレーキ制御手段（ブレーキコントローラ１、ATコントローラ２）は、第１の変速終了後の第３制御中に第２の変速が要求されることにより第１制御を開始することが予測される場合、摩擦ブレーキトルクFBを減少から増加に切り換えるときの摩擦ブレーキトルク指令値FB*の時間当たり変化量の変動を抑制する車両減速度低下防止手段（ブレーキコントローラ１の各部１１〜１９、ATコントローラ２の各部２１〜２５）を有することとした。
【０１０５】
よって、第２の変速要求時に、摩擦ブレーキを減圧状態から増圧状態に急に切り替えることがなく、保持状態から増圧状態に緩やかに切り替えるため、摩擦ブレーキの急激な液圧変化を抑制できる。したがって、第２の変速要求時の摩擦ブレーキ増圧遅れを抑制することができ、運転者の要求する車両減速度Gsを満足させることができる、という効果を有する。
【０１０６】
（２）車両減速度低下防止手段（ブレーキコントローラ１の各部１１〜１９、ATコントローラ２の各部２１〜２５）は、第１の変速終了後の上記第３制御中に、第２の変速が要求されるまでの間、摩擦ブレーキトルク指令値FB*を一定に保持する摩擦ブレーキトルク保持手段（ステップS11、S12、S15〜S18等）を有することとした。
【０１０７】
すなわち、第1の変速が終了したt1後、第2の変速要求がある時刻t3よりも早いタイミングの時刻t2で、摩擦ブレーキ液圧を保持することとした。よって、第2の変速要求時に、摩擦ブレーキを減圧状態から増圧状態に急に切り替えることがなく、保持状態から増圧状態に緩やかに切り替えるため、摩擦ブレーキの急激な液圧変化を抑制できる。したがって、第２の変速要求があるまでの時間Tnextの長さに関わらず、第２の変速要求時の摩擦ブレーキ増圧遅れを抑制することができ、運転者の要求する車両減速度Gsを満足させることができる。また、第2の変速要求があったt3後、実際に第2の変速を開始できるt5までの時間が早まるため、変速の応答性がよい、という効果を有する。
【０１０８】
（３）上記摩擦ブレーキトルク保持制御手段は、目標減速度Gs*が大きいほど摩擦ブレーキトルク指令値FB*の保持開始時刻を早めることとした。
【０１０９】
すなわち、第２の変速要求があるまでの時間Tnextは、目標減速度Gs*に基づき算出する（Tnext＝ΔV／Gs*）こととし（ステップS11）、Tnextに基づいて摩擦ブレーキトルクFBの保持開始タイミングt２を決定することとした（ステップS12、S15〜S18）。よって、目標減速度Gs*が大きいほど、摩擦ブレーキトルクFBの保持開始タイミングt２が早まることになり、目標減速度Gs*の大きさに関わらず、運転者の要求する車両減速度Gsを満足させることができる、という効果を有する。
【０１１０】
（４）上記摩擦ブレーキトルク保持制御手段は、第１の変速終了後の上記第３制御中に第２の変速が要求されたt3以後も、摩擦ブレーキトルク指令値FB*の保持を所定時間継続することとしてもよい。
【０１１１】
この場合、回生ブレーキトルクRBを保持する時間Choldを実質的に長くしたことになるため、回生エネルギーの積算量が増加し、この分だけ燃費の向上を図ることができる、という効果を有する。
【実施例２】
【０１１２】
実施例２のブレーキ制御装置は、第１の変速完了後、第２の変速要求よりも早いタイミングで、摩擦ブレーキトルクFBから回生ブレーキトルクRBへの置き換え量（摩擦ブレーキトルクFBの減少率）の制限を開始することにより、第２の変速要求時における摩擦ブレーキの増圧遅れを防止する。
【０１１３】
［実施例２の構成］
実施例２のブレーキ制御装置の構成は、実施例１と同様である（図１、図２参照）。ただし、実施例１と異なり、実施例２のブレーキコントローラ１は、次回変速要求時間算出部１５を有していない。
【０１１４】
実施例２の回生ブレーキトルク指令値算出部１６は、図外の指令値補正部１６aを有している。指令値補正部１６aは、図１０に示すマップ３を用いて、現在車速Vcurと次回変速要求車速Vnextとの偏差ΔVに基づき、回生ブレーキトルク指令値RB*の増加量CRBIncを算出する。
【０１１５】
さらに、指令値補正部１６aは、今回算出した目標減速度Gs*と前回算出した目標減速度Gs*(n-1)との偏差ΔGs*に基づいて、マップ３で使用する基準線を変更する。具体的には、マップ３において、偏差ΔGs*がゼロ付近（ΔGs*≒０）のときの基準線１を、偏差ΔGs*が正値（ΔGs*>０）のときには上側、すなわち正方向側の基準線２にずらし、偏差ΔGs*が負値（ΔGs*<０）のときには下側、すなわち負方向側の基準線３にずらす。指令値補正部１６aは、このように偏差ΔGs*の値に応じて変更した基準線を用いて、回生ブレーキトルク指令値RB*の増加量CRBIncを算出する。
【０１１６】
［実施例２の作用］
以下、実施例２の車両において、運転者がブレーキペダルを踏み込んで制動力を作用させている最中のブレーキ制御を説明する。図１０は、制御の流れを示すフローチャートである。この演算は、所定時間毎に繰り返し実行される。
【０１１７】
ステップS30では、実施例１のステップS1と同様に、ブレーキストローク量Sから車両の目標減速度Gs*を算出する。その後、ステップS31に移る。
【０１１８】
ステップS31では、実施例１のステップS2と同様に、目標ブレーキトルクTQ*を算出する。その後、ステップS32に移る。
【０１１９】
ステップS32では、実施例１のステップS9と同様に、ATコントローラ２から現在車速Vcurの情報を取得する。その後、ステップS33に移る。
【０１２０】
ステップS33では、ATコントローラ２からアクセル開度APOの情報を取得する。その後、ステップS34に移る。
【０１２１】
ステップS34では、実施例１のステップS8と同様に、ATコントローラ２から次回変速要求車速Vnextの情報を取得する。その後、ステップS35に移る。
【０１２２】
ステップS35では、実施例１のステップS6と同様に、最大回生可能トルクRBmaxを算出する。その後、ステップS36に移る。
【０１２３】
ステップS36では、実施例１のステップS10と同様に、車速偏差ΔV（＝｜Vnext−Vcur｜）を算出する。その後、ステップS37に移る。
【０１２４】
ステップS37では、今回の制御周期において算出した目標減速度Gs*と前回の制御周期において算出した目標減速度Gs*(n-1)との偏差ΔGs*を算出する。その後、ステップS38に移る。
【０１２５】
ステップS38では、実施例１のステップS5と同様に、ATコントローラ２からの変速要求の有無を検出する。変速要求がなければ、ステップS39に移る。変速要求があれば、ステップS41に移る。
【０１２６】
（変速要求がない場合）
ステップS39、S40、S44は、変速要求がない場合における、摩擦ブレーキトルク指令値FB*算出の流れを示す。
【０１２７】
ステップS39では、前回制御周期における回生ブレーキトルク指令値RB*(n-1)が最大回生可能トルクRBmax未満であり、回生ブレーキトルクRBの増力が完了していないことを前提として、図１０に示すマップ３を用いて、回生ブレーキトルク指令値RB*の増加量CRBIncを算出する。このとき、目標減速度偏差ΔGs*に基づいて、用いる基準線を変更する。その後、ステップS40に移る。なお、回生ブレーキトルク指令値RB*(n-1)がすでに最大回生可能トルクRBmaxまで増大されており、回生ブレーキトルクRBの増力が完了している場合には、実施例1のステップS13、S14と同様の制御を行う。
【０１２８】
ステップS40では、回生ブレーキトルク指令値RB*を、上記算出した値CRBIncだけ、前回の算出値RB*(n-1)よりも増加させる。具体的には、RB*＝RB*(n-1)＋CRBIncにより、回生ブレーキトルク指令値RB*を算出する。その後、ステップS44に移る。
【０１２９】
（変速要求があった場合）
ステップS41〜S44は、変速要求があった場合における、摩擦ブレーキトルク指令値FB*算出の流れを示す。
【０１３０】
ステップS41では、実施例１のステップS19と同様に、回生ブレーキトルク指令値RB*を、前回の算出値RB*(n-1)から所定値CRBDecだけ減少させる（RB*＝RB*(n-1)−CRBDec）。その後、ステップS42に移る。
【０１３１】
ステップS42では、変速許可判定部１９が、回生ブレーキトルク指令値RB*がゼロであるか否かを判定する。回生ブレーキトルク指令値RB*がゼロである場合には、ステップS43に移る。ゼロでない場合には、ステップS44に移る。
【０１３２】
ステップS43では、変速許可判定部１９が変速許可の信号をATコントローラ２に出力する。その後、ステップS44に移る。
【０１３３】
ステップS44では、実施例１のステップS14と同様に、摩擦ブレーキトルク指令値FB*を算出する（FB*＝TQ*−RB*）。その後、ステップS45に移る。
【０１３４】
ステップS45では、今回の制御周期で算出した各値Gs*、RB*等を記憶する。このように保存した値を次回の制御周期において使用する。
【０１３５】
（本実施例２のタイムチャートおよび作用効果）
図１１〜図１３は、第1の変速終了後、第2の変速が要求されて実際に第2の変速が開始されるまでの間における、本実施例２のブレーキ制御を示すタイムチャートである。図１１は、ブレーキストローク量Sが略一定である場合、図１２は、ブレーキ制御中にブレーキペダルが踏み増された場合、図１３は、ブレーキペダルが踏み戻された場合のタイムチャートである。
【０１３６】
（ブレーキストローク量が略一定である場合のタイムチャート）
図１１は、ブレーキストローク量Sが略一定であるため目標減速度の偏差ΔGs*が略ゼロ（ΔGs*≒０）の場合を示す。実施例1と同様、実線で本実施例2を、破線で従来技術を示す。
【０１３７】
時刻t1に、第1の変速が終了する。時刻t5に、第2の変速が開始される。時刻t1からt5までの間に、ブレーキ制御を行う。
【０１３８】
時刻t1において、第1の変速（４→３変速）が終了し、ブレーキ制御が開始される。目標減速度Gs*、その偏差ΔGs*、および目標ブレーキトルクTQ*が算出される（ステップS30、S31、S37）。全ての時点を通じて、目標減速度Gs*は略一定である（ΔGs*≒０）ため、目標減速度Gs*に基づき算出される目標ブレーキトルクTQ*も略一定である。また、偏差Gs*は略ゼロである（ΔGs*≒０）ため、値CRBInc算出用のマップ３において、基準線1を用いる。
【０１３９】
時刻t１からt4までは、変速要求がないと判断し、回生ブレーキトルクRBを、制御周期ごとに値CRBIncずつ徐々に増加させる（ステップS38〜S40）。同時に、摩擦ブレーキアクチュエータFBatrの液圧を徐々に減少させ、摩擦ブレーキトルクFBを、制御周期ごとに値CRBIncずつ徐々に減少させる（ステップS44）。
【０１４０】
時刻t1からt2までの間は、車速偏差ΔV（＝｜Vnext−Vcur｜）が、マップ３に示す値ΔV1よりも大きいため、算出される値CRBIncは一定である（ステップS39）。よって、時間とともに、回生ブレーキトルク指令値RB*は一定の割合で増加すると同時に、摩擦ブレーキトルク指令値FB*は一定の割合で減少する（ステップS40、S44）。
【０１４１】
時刻t2からt3までの間は、車速偏差ΔVが、マップ３に示す値ΔV1より小さく、かつ値ΔV3よりも大きいため、算出される値CRBIncは一定の割合で減少する（ステップS39）。よって、時間とともに、回生ブレーキトルク指令値RB*の増加率は徐々に減少すると同時に、摩擦ブレーキトルク指令値FB*の減少率の大きさは徐々に減少する（ステップS40、S44）。すなわち、摩擦ブレーキトルクFBから回生ブレーキトルクRBへの置き換え量が制限される。
【０１４２】
時刻t3からt4までの間は、車速偏差ΔVが、マップ３に示す値ΔV3よりも小さいため、算出される値CRBIncはゼロで一定である（ステップS39）。よって、回生ブレーキトルク指令値RB*は一定値に保持される同時に、摩擦ブレーキトルク指令値FB*も一定値に保持される（ステップS40、S44）。
【０１４３】
時刻t4において、現在車速Vcurが第2の変速要求車速Vnextにまで低下すると、第2の変速が要求される。よってt4以降、回生ブレーキトルクRBを、制御周期ごとに所定値CRBDecずつ徐々に減少させる（ステップS38、S41）。同時に、摩擦ブレーキアクチュエータFBatrの液圧を徐々に増加させ、摩擦ブレーキトルクFBを、制御周期ごとに所定値CRBDecずつ徐々に増加させる（ステップS44）。
【０１４４】
時刻t5において、回生ブレーキトルク指令値RB*がゼロになり回生ブレーキトルクRBの減力が完了するとともに、摩擦ブレーキトルク指令値FB*が目標ブレーキトルクTQ*となり摩擦ブレーキトルクFBの増力が完了する。このように回生ブレーキから摩擦ブレーキへの切り替えが完了すると、第2の変速を開始する。
【０１４５】
（ブレーキストローク量が略一定である場合の作用効果）
従来技術では、実施例1で説明したように、摩擦ブレーキトルク指令値FB*の時間変化を示す直線の傾きが、第2の変速要求があるt4の前後で、右肩上がり（減圧）から右肩下がり（増圧）へ急激に変化し、図１１に示す角度αが比較的小さい。
【０１４６】
これに対して、実施例２のブレーキ制御装置は、第１の変速が完了したt1後、第２の変速要求があるt4まで、摩擦ブレーキトルク指令値FB*の減少勾配を徐々に緩やかにすることにより、t4における摩擦ブレーキ圧の状態変化を緩和する。これにより、第２の変速要求時（t4直後）の摩擦ブレーキ増圧遅れを防止する。
【０１４７】
すなわち、現在車速Vcurが次回の変速要求車速Vnextに近づくほど、摩擦ブレーキトルクFBから回生ブレーキトルクRBへの置き換え量を制限し、摩擦ブレーキトルク指令値FB*の減少勾配が徐々に緩やかになるように制御して、t4直前においては摩擦ブレーキトルク指令値FB*が一定になるようにした。これにより、第２の変速要求がなされるt4の前後で、摩擦ブレーキを減圧状態から増圧状態に急に切り替えることがない。摩擦ブレーキトルク指令値FB*の時間変化を示す直線の傾きは、t4の前後で、図１１の平坦な状態（保持）から右肩下がり（増圧）へ緩やかに変化する。よって、図１１に示す角度α２が比較的大きい（α２>α）。
【０１４８】
このため、t4後、摩擦ブレーキトルク指令値FB*に対する摩擦ブレーキアクチュエータFBatrの増圧遅れが抑制され、第１の変速完了後、第２の変速要求があるまでの時間の長さに関わらず、車両減速度Gsが運転者の要求する目標減速度Gs*に対して不足する事態が防止される。
【０１４９】
なお、摩擦ブレーキトルク指令値FB*の減少勾配が徐々に緩やかになるため、t1からt4までの摩擦ブレーキトルクRBの減少幅は従来技術よりも小さくなり、保持される摩擦ブレーキトルクFBの値は大きくなる。よって、第2の変速要求があったt4以降、摩擦ブレーキトルクFBの増力が完了するまでに要する時間（t4〜t5）も短くなる。言い換えれば、第2の変速要求があったt4後、実際に第2の変速を開始できるt5までの時間が、従来技術（t6）と比べて早まるため、変速の応答性がよい。
【０１５０】
なお、実施例1と同様、第2の変速要求があったt4以降、摩擦ブレーキトルク指令値FB*の保持を所定時間継続する構成としてもよい。この場合、回生ブレーキトルクRBを保持する時間を実質的に長くすることになるため、実施例1と同様、回生エネルギーの積算量が増加し、その分だけ燃費の向上を図ることができる。
【０１５１】
（ブレーキペダルが踏み増された場合のタイムチャート）
図１２は、ブレーキ制御中に、ブレーキペダルが踏み増されたため、目標減速度の偏差ΔGs*が正値（ΔGs*>０）になった場合を示す。なお、偏差ΔGs*がゼロから正値に変化したにもかかわらずマップ３の基準線を変更しなかった場合、すなわち回生ブレーキトルク指令値RB*の増加量CRBIncを偏差ΔGs*の変化に基づいて補正しなかった場合を、破線で示す。
【０１５２】
時刻t1からt3までの間は、目標減速度Gs*が略一定である（ΔGs*≒０）ため、値CRBInc算出用のマップ３において、基準線1を用いる。
【０１５３】
時刻t1からt2までの間は、車速偏差ΔVがマップ３に示す値ΔV1よりも大きいため、回生ブレーキトルク指令値RB*は一定の割合で増加すると同時に、摩擦ブレーキトルク指令値FB*は一定の割合で減少する（ステップS40、S44）。
【０１５４】
時刻t2からt3までの間は、車速偏差ΔVが、マップ３に示す値ΔV1より小さく、かつ値ΔV3よりも大きいため、回生ブレーキトルク指令値RB*の増加率は徐々に減少すると同時に、摩擦ブレーキトルク指令値FB*の減少率の大きさは徐々に減少する（ステップS40、S44）。
【０１５５】
時刻t3からt6までの間は、ブレーキペダルが踏み増され、各制御周期における目標減速度の偏差ΔGs*が正値（ΔGs*>０）になる。なお、各制御周期で偏差ΔGs*は略一定であり、目標ブレーキトルクTQ*も略一定の割合で増加するものと仮定する。
【０１５６】
時刻t3から、第2の変速要求がある時刻t5までの間は、偏差ΔGs*が正値（ΔGs*>０）であるため、値CRBInc算出用のマップ３において基準線２を用いる。よって、基準線変更後の値CRBIncは正方向側に修正される。すなわち、時刻t3からt5までの間における回生ブレーキトルク指令値RB*の増加率および摩擦ブレーキトルク指令値FB*の減少率は、基準線を変更しなかった場合（破線）よりも大きくなる。
【０１５７】
摩擦ブレーキトルク指令値FB*は、目標ブレーキトルクTQ*から回生ブレーキトルク指令値RB*を差し引いて算出される。また、時刻t3からt5までの間、目標ブレーキトルクTQ*は略一定の割合で増加している。このため、基準線の変更により回生ブレーキトルク指令値RB*の増加率を急に増大させた場合でも、基準線変更の時刻t3の前後で、摩擦ブレーキトルク指令値FB*の減少率の急激な変化は抑制され、摩擦ブレーキトルク指令値FB*はほぼ一定割合で減少し続ける。よって、ブレーキペダル踏み増しの前後で、基準線を変更しない場合（破線）に比べ、摩擦ブレーキの状態変化は抑制される。
【０１５８】
また、時刻t3からt5までの間は、マップ３を用いて回生ブレーキトルクRBへの置き換え量を制限することにより、回生ブレーキトルク指令値RB*の増加率および摩擦ブレーキトルク指令値FB*の減少率の、それぞれの変化勾配が緩やかになる。すなわち、時刻t3からt4までの間は、車速偏差ΔVが、マップ３に示す値ΔV1より小さく、かつ値ΔV3よりも大きいため、摩擦ブレーキトルク指令値FB*の減少勾配は緩やかである（ステップS40、S44）。
【０１５９】
また、時刻t4からt5までの間は、車速偏差ΔVがΔV3よりも小さいため、算出される値CRBIncは一定値である（ステップS39）。よって、回生ブレーキトルク指令値RB*は一定の割合CRBIncで増加すると同時に、摩擦ブレーキトルク指令値FB*は略一定の割合で減少または増加（目標ブレーキトルクTQ*の増加率が回生ブレーキトルク指令値RB*の増加率CRBIncよりも大きいとき）する（ステップS40、S44）。
【０１６０】
よって、第2の変速要求があるt5の前後で、摩擦ブレーキを急な減圧状態から増圧状態に切り替えることがない。言い換えると、図１２に示す角度α２' が従来技術における角度α（図１１参照）よりも大きい（α２'>α）。
【０１６１】
時刻t5において、現在車速Vcurが第2の変速要求車速Vnextにまで低下すると、第2の変速が要求されるため、t5以降、回生ブレーキトルクRBを値CRBDecずつ徐々に減少させる（ステップS38、S41）。同時に、摩擦ブレーキトルクFBを値CRBDecずつ徐々に増加させる（ステップS44）。
【０１６２】
時刻t6において、目標減速度Gs*の増加が終了し、目標減速度Gs*が略一定となる（ΔGs*≒０）。時刻t7において、回生ブレーキトルクRBの減力および摩擦ブレーキトルクFBの増力が完了すると、第2の変速を開始する。
【０１６３】
（ブレーキペダルが踏み増された場合の作用効果）
ブレーキペダルが踏み増されている間は、目標ブレーキトルクTQ*が増加していく。ここで、マップ３の基準線１を変更せずそのまま用いた場合、図１２の破線に示すように、回生ブレーキトルク指令値RB*の増加勾配CRBIncの補正量は、目標ブレーキトルクTQ*の増加の前後で小さいままである。よって、目標ブレーキトルクTQ*の増加量のうち、回生ブレーキトルク指令値RB*の増加では足りない分だけ、摩擦ブレーキトルク指令値FB*を増加する必要がある。言い換えると、この場合、目標ブレーキトルクTQ*の増加分を、回生ブレーキトルクRBではなく摩擦ブレーキトルクFBの増加により補うことになる。
【０１６４】
ここで、第2の変速要求時に摩擦ブレーキトルク指令値FB*の変化が抑制されることにより摩擦ブレーキの増圧遅れが防止される限り、ブレーキペダル踏み増しによる目標ブレーキトルクTQ*の増加分を、摩擦ブレーキトルクFBの増加によってではなく回生ブレーキトルクRBの増加によって補ってもよい。このように、目標ブレーキトルクTQ*に対する回生ブレーキトルクRBの担当割合を増加させることにより、その分だけ回生エネルギーが増大し、燃費を向上することができる。
【０１６５】
本実施例2では、ブレーキペダルが踏み増されて目標ブレーキトルクTQ*および目標減速度Gs*が増加したときは、摩擦ブレーキトルクFBから回生ブレーキトルクRBへの置き換え量の制限を弱くし、回生ブレーキトルク指令値RB*の増加率が大きくなるとともに目標ブレーキトルクTQ*に対する摩擦ブレーキトルク指令値FB*の減少率が大きくなるように、マップ３における基準線を変更する。これにより、ブレーキ制御中における回生ブレーキトルクRBの担当割合を増加させ、回生エネルギーを増大させる。具体的には、目標ブレーキトルクTQ*が増加し始める時刻t3から第2の変速が開始される時刻t7までの間で、基準線を変更しない場合よりも回生ブレーキトルク指令値RB*が増加するため、図１２の斜線部分に示す分だけ回生エネルギーが増大する。
【０１６６】
ここで、ブレーキストローク量Sが略一定である場合と同様、目標ブレーキトルクTQ*の増加開始時t3および第２の変速要求時t5の前後において、摩擦ブレーキトルク指令値FB*の変化勾配（減少勾配または増加勾配）の変化が緩やかになるよう制御している。このため、ブレーキ制御中、特に、第2の変速要求があるt5の前後で、摩擦ブレーキトルク指令値FB*が急激に変化することはない（α２'>α）。よって、摩擦ブレーキの状態変化が抑制され、摩擦ブレーキの増圧応答性が確保される。
【０１６７】
（ブレーキペダルが踏み戻された場合のタイムチャート）
図１３は、ブレーキペダルが踏み戻されたため目標減速度の偏差ΔGs*が負値（ΔGs*<０）になった場合を示す。なお、偏差ΔGs*がゼロから負値に変化したにもかかわらずマップ３の基準線を変更しなかった場合、すなわち回生ブレーキトルク指令値RB*の増加量CRBIncを偏差ΔGs*の変化に基づいて補正しなかった場合を、破線で示す。
【０１６８】
時刻t1からt3までの間は、目標減速度Gs*が略一定である（ΔGs*≒０）ため、値CRBInc算出用のマップ３において、基準線1を用いる。時刻t2からt3までの間、回生ブレーキトルク指令値RB*の増加率は徐々に減少すると同時に、摩擦ブレーキトルク指令値FB*の減少率は徐々に減少する（ステップS40、S44）。
【０１６９】
時刻t3からt7までの間、ブレーキペダルが踏み戻され、目標減速度の偏差ΔGs*が負値（ΔGs*<０）になる。よって、時刻t3から、第2の変速要求がある時刻t6までの間は、マップ３において基準線３を用いる。基準線が下側にずれるため、基準線変更後の値CRBIncも負方向側に修正される。よって、時刻t3からt6までの間における回生ブレーキトルク指令値RB*の増加率および摩擦ブレーキトルク指令値FB*の減少率は、基準線を変更しなかった場合（破線）よりも小さくなる。
【０１７０】
時刻t3からt6までの間、目標ブレーキトルクTQ*は略一定の割合で減少するが、その一方で、基準線の変更により回生ブレーキトルク指令値RB*の増加率が抑制される。よって、目標ブレーキトルクTQ*が減少し始めるt3後においても、摩擦ブレーキトルク指令値FB*の減少率は抑制され、、摩擦ブレーキトルク指令値FB*は急激には減少しない。したがって、t3の前後で、基準線を変更しない場合（破線）に対し、摩擦ブレーキの状態変化は抑制される。
【０１７１】
また、時刻t3からt6までの間は、マップ３を用いて回生ブレーキトルクRBへの置き換え量を制限することにより、回生ブレーキトルク指令値RB*の増加率および摩擦ブレーキトルク指令値FB*の減少率の、それぞれの変化勾配が緩やかになる。ΔVがΔV2以下となるt4以降、基準線３に基づいて算出される値CRBIncは負に転じ、回生ブレーキトルク指令値RB*も減少に転じる。
【０１７２】
また、時刻t5からt6までの間は、車速偏差ΔVが、マップ３に示す値ΔV3よりも小さいため、マップ３を用いて算出される値CRBIncは負の一定値をとる（ステップS39）。よって、回生ブレーキトルク指令値RB*は一定の割合CRBIncで減少すると同時に、摩擦ブレーキトルク指令値FB*は略一定の割合で減少または増加（目標ブレーキトルクTQ*の減少率が回生ブレーキトルク指令値RB*の減少率CRBIncよりも小さいとき）する（ステップS40、S44）。
【０１７３】
よって、第2の変速要求があるt6の前後で、摩擦ブレーキを急な減圧状態から増圧状態に切り替えることがない。言い換えると、図１３に示す角度α２" が、基準線を変更しない場合の角度α'よりも大きい（α２"＞α' ）。
【０１７４】
時刻t6において、現在車速Vcurが第2の変速要求車速Vnextにまで低下すると、第2の変速が要求され、t6以降、回生ブレーキトルクRBを値CRBDecずつ徐々に減少させる（ステップS38、S41）。同時に、摩擦ブレーキトルクFBを、値CRBDecから目標ブレーキトルクTQ*の減少率を差し引いた分だけ、徐々に増加させる（ステップS44）。
【０１７５】
時刻t7において、目標減速度Gs*の減少が終了し、目標減速度Gs*が略一定となる（ΔGs*≒０）。時刻t8において、回生ブレーキトルクRBの減力および摩擦ブレーキトルクFBの増力が完了すると、第2の変速を開始する。
【０１７６】
（ブレーキペダルが踏み戻された場合の作用効果）
ブレーキ制御中に、ブレーキペダルが踏み戻されて目標ブレーキトルクTQ*が減少する場合、回生ブレーキトルクRBへの置き換え量を制限して摩擦ブレーキトルク指令値FB*の減少勾配を徐々に緩やかにする制御を行ったときでも、摩擦ブレーキの状態変化を充分に抑制できないおそれがある。すなわち、この場合、図１３の破線（角度α' ）に示すように、第２の変速要求時t６の直前における摩擦ブレーキトルク指令値FB*の減少勾配を充分に小さくできないおそれが生じる。
【０１７７】
本実施例２では、ブレーキペダルが踏み戻されたとき、マップ３の基準線を下側（負方向側）の基準線３に変更することにより、摩擦ブレーキトルクFBから回生ブレーキトルクRBへの置き換え量の制限を強くし、回生ブレーキトルク指令値RB*の増加率CRBIncを減少させるとともに目標ブレーキトルクTQ*に対する摩擦ブレーキトルクFBの減少率を減少させる。さらに、第2の変速要求があるt6の直前においては値CRBIncを負に設定して回生ブレーキトルク指令値RB*を減少させる。よって、ブレーキストローク量Sが略一定である場合と同様、第２の変速要求時t6の前後において、摩擦ブレーキトルク指令値FB*の変化勾配（減少勾配または増加勾配）の変化が緩やかになる。
【０１７８】
このため、基準線を変更しない場合（破線）に比べ、摩擦ブレーキトルク指令値FB*が減少から増加へ急激に変化することはない（α２"＞α' ）。したがって、摩擦ブレーキの状態変化が抑制され、摩擦ブレーキの増圧応答性が確保される。
【０１７９】
なお、実施例1と同様、第2の変速要求があったt6以降、摩擦ブレーキトルク指令値FB*の保持を所定時間継続する構成としてもよい。この場合、回生ブレーキトルクRBを保持する時間を実質的に長くすることになるため、実施例1と同様、回生エネルギーの積算量が増加し、その分だけ燃費の向上を図ることができる。
【０１８０】
［実施例２の効果］
本実施例２のブレーキ制御装置は、以下に列挙する効果を得ることができる。
【０１８１】
（１）本実施例２の車両減速度低下防止手段（ブレーキコントローラ１の各部１１〜１９、ATコントローラ２の各部２１〜２５）は、第１の変速終了後の上記第３制御中に、第２の変速が要求されるまでの間、回生ブレーキトルク指令値RB*の時間当たり変化量が徐々に小さくなるように補正することにより、摩擦ブレーキトルク指令値FB*の時間当たり変化量を徐々に小さくする回生ブレーキトルク目標値補正手段（指令値補正部１６a、ステップS39、S40等）を有することとした。
【０１８２】
すなわち、本実施例２のブレーキ制御装置の回生ブレーキトルク指令値算出部１５は、マップ３を用いて、車速偏差ΔVに基づき、回生ブレーキトルク指令値RB*の増加量CRBIncを算出する指令値補正部１５aを有することとした。図１１に示すように、第１の変速が完了したt1後、第２の変速要求があるt4まで、摩擦ブレーキトルク指令値FB*の減少勾配を徐々に緩やかにすることにより、t4における摩擦ブレーキ圧の状態変化を緩和する。これにより、第２の変速要求時（t4直後）の摩擦ブレーキ増圧遅れを防止する。したがって、第１の変速完了後、第２の変速要求があるまでの時間の長さに関わらず、運転者の要求する車両減速度Gsを満足させることができる。また、第2の変速要求があったt4後、実際に第2の変速を開始できるt5までの時間が早まるため、変速の応答性がよい、という効果を有する。
【０１８３】
（２）上記回生ブレーキトルク目標値補正手段は、運転者のブレーキ踏み増しにより目標減速度Gs*が増加するとき、回生ブレーキトルク指令値RB*の時間当たり変化量を大きく設定することとした。
【０１８４】
すなわち、指令値補正部１５aは、マップ３の基準線を目標減速度偏差ΔGs*に応じて変更し、目標減速度偏差ΔGs*が正値（ΔGs*>０）のときには上側、すなわち正方向側にずらすこととした。このように基準線を変更することにより、ブレーキペダルが踏み増されて目標減速度Gs*が増加したときは、回生ブレーキトルク指令値RB*の時間当たり変化量（CRBIncに相当）が、第２の変速要求があるまでの間（ΔV）のすべての領域にわたって大きく設定される。これにより、ブレーキ制御中に、摩擦ブレーキの増圧応答性を確保しつつ、回生ブレーキトルクRBの担当割合を増加させ、回生エネルギーを増大させることができる、という効果を有する。
【０１８５】
（３）上記回生ブレーキトルク目標値補正手段は、運転者のブレーキ踏み戻しにより目標減速度Gs*が減少するとき、回生ブレーキトルク指令値RB*の時間当たり変化量を小さく設定することにより、目標ブレーキトルクTQ*に対する摩擦ブレーキトルク指令値FB*の時間当たり変化量を小さく設定することとした。
【０１８６】
すなわち、指令値補正部１５aは、マップ３の基準線を目標減速度偏差ΔGs*に応じて変更し、目標減速度偏差ΔGs*が負値（ΔGs*<０）のときには下側、すなわち負方向側にずらすこととした。このように基準線を変更することにより、ブレーキペダルが踏み戻されて目標減速度Gs*が減少したときは、回生ブレーキトルク指令値RB*の時間当たり変化量（CRBIncに相当）が、第２の変速要求があるまでの間（ΔV）のすべての領域にわたって小さく設定される。これにより、摩擦ブレーキトルク指令値FB*が減少から増加へ急激に変化することがなくなり、摩擦ブレーキの状態変化が抑制され、摩擦ブレーキの増圧応答性が確保される。よって、運転者の要求する車両減速度Gsを満足させることができる、という効果を有する。
【実施例３】
【０１８７】
実施例３のブレーキ制御装置は、第１の変速完了後、第２の変速要求よりも早いタイミングで回生ブレーキから摩擦ブレーキへの切り替えを開始することにより、第２の変速要求時における摩擦ブレーキの増圧遅れを防止する。
【０１８８】
［実施例３の構成］
実施例３のブレーキ制御装置の構成は、実施例１と同様である（図１、図２参照）。
【０１８９】
実施例３の回生ブレーキトルク指令値算出部１６は、図外の摩擦ブレーキ必要増圧勾配推定部１６ｂを有している。回生ブレーキトルク指令値算出部１６は、摩擦ブレーキ必要増圧勾配推定部１６ｂの推定結果に基づき、回生ブレーキトルクの指令値RB*を算出する。
【０１９０】
［実施例３の作用］
以下、実施例３の車両において、運転者がブレーキペダルを踏み込んで制動力を作用させている最中のブレーキ制御を説明する。図１４は、制御の流れを示すフローチャートである。この演算は、所定時間毎に繰り返し実行される。
【０１９１】
ステップS71〜S74は、実施例1のステップS1〜S4と同様である（図５参照）。
【０１９２】
ステップS75は、実施例1のステップS6と同様であり、最大回生可能トルクRBmaxを算出する。その後、ステップS76に移る。
【０１９３】
ステップS76〜S79は、実施例1のステップS8〜S11と同様であり、次回の変速要求があるまでの時間Tnextを算出する。その後、ステップS80に移る。
【０１９４】
ステップS80では、次回変速要求までの時間Tnextに所定時間Cftdelayを加算することにより、回生ブレーキから摩擦ブレーキへの切り替え（摩擦ブレーキの増力）が完了しなければならないタイミングまでの時間Tfbnextを算出する。具体的には、Tfbnext＝Tnext＋Cftdelayにより算出する。さらに時間Tfbnextを制御周期（ms）で除することによって制御周期の回数に換算する。その後、ステップS81に移る。
【０１９５】
なお、所定時間Cftdelayは、次回の変速が要求されてから実際に次回の変速が開始されるまでの時間を補償する成分であり、例えば自動変速機ATの摩擦締結要素のプリチャージ制御に必要な時間等に相当する。
【０１９６】
ステップS81では、摩擦ブレーキ必要増圧勾配Degpincを推定する。すなわち摩擦ブレーキへの切り替え完了までの要求時間Tfbnext内に摩擦ブレーキの増圧完了を可能とするような、各制御周期における摩擦ブレーキトルク指令値FB*の増加勾配（増大ステップ）を推定する。具体的には、前回制御周期における回生ブレーキトルク指令値RB*(n-1)と上記換算後の要求時間Tfbnextとに基づき、Degpinc＝RB*(n-1)/ Tfbnextにより推定する。その後、ステップS82に移る。
【０１９７】
なお、前回制御周期における回生ブレーキトルク指令値RB*(n-1)と今回制御周期における回生ブレーキトルク指令値RB*とは、互いに近似できる。
【０１９８】
ステップS82では、実施例1のステップS5と同様に、ATコントローラ２からの変速要求の有無を検出する。変速要求がなければ、ステップS83に移る。変速要求があれば、ステップS85に移る。
【０１９９】
（変速要求がない場合）
ステップS83、S84、S87〜S90は、変速要求がない場合における、摩擦ブレーキトルク指令値FB*算出の流れを示す。
【０２００】
ステップS83では、実施例1のステップS7と同様に、回生ブレーキトルクRBの増力完了を判断する。増力が未完了と判断した場合はステップS84に移り、増力完了と判断した場合は、ステップS89に移る。
【０２０１】
（回生ブレーキトルクの増力が完了している場合）
ステップS89、S90では、実施例1のステップS13、S14と同様に、回生ブレーキトルク指令値RB*（RB*＝RBmax）および摩擦ブレーキトルク指令値FB*（FB*＝TQ*−RB*）を算出する。その後、ステップS91に移る。
【０２０２】
（回生ブレーキトルクの増力が未完了の場合）
ステップS84では、摩擦ブレーキの減力から増力への切り替え、すなわち摩擦ブレーキトルク指令値FB*の減少から増加への切り替えが必要となったか否かを判断する。具体的には、推定した摩擦ブレーキ必要増圧勾配Degpincが所定勾配Cdegpinc未満である場合は、切り替えが不要であると判断し、ステップS87に移る。一方、上記勾配Degpincが所定勾配Cdegpincと一致した場合は、切り替えが必要であると判断し、ステップS85に移る。
【０２０３】
ここで、所定勾配Cdegpincは、摩擦ブレーキの減力から（上記勾配Cdegpincでの）増力へ切り替える際に、摩擦ブレーキアクチュエータFBAtrの増圧遅れが抑制され、車両減速度Gsが目標減速度Gs*に対して不足しないような範囲で設定されている（図１５参照）。
【０２０４】
（切り替えが必要な場合）
ステップS85では、回生ブレーキトルク指令値RB*を、前回の算出値RB*(n-1)から摩擦ブレーキ必要増圧勾配Degpincだけ減少させる（RB*＝RB*(n-1)−Degpinc）。その後、ステップS86に移る。
【０２０５】
ステップS86では、実施例1のステップS14等と同様に、FB*＝TQ*−RB*により摩擦ブレーキトルク指令値FB*を算出する。その後、ステップS91に移る。
【０２０６】
（切り替えが不要な場合）
ステップS87では、実施例1のステップS15と同様に、回生ブレーキトルク指令値RB*を、前回の算出値RB*(n-1)から所定値CRBIncだけ増加させる（RB*＝RB*(n-1)＋CRBInc）。その後、ステップS88に移る。
【０２０７】
ステップS88では、ステップS86と同様に、摩擦ブレーキトルク指令値FB*を算出した後、ステップS91に移る。
【０２０８】
ステップS91、S92では、実施例1のステップS21、S22と同様に、回生ブレーキトルク指令値RB*および摩擦ブレーキトルク指令値FB*を出力して、今回の制御周期を終了する。
【０２０９】
（タイムチャート）
図１５は、本実施例３のブレーキ制御を、従来技術と対比して示したタイムチャートである。
【０２１０】
時刻t1に、第1の変速が終了する。時刻t4に、第2の変速が開始される。変速が行われていない時刻t1からt4までの間に、ブレーキ制御を行う。
【０２１１】
時刻t1において、第1の変速（４→３変速）が終了し、ブレーキ制御が開始される。時刻t1からt2までの間は、所定勾配Cdegpincのほうが摩擦ブレーキ必要増圧勾配Degpincよりも大きいため、回生ブレーキトルクRBを、制御周期ごとに所定値CRBIncずつ徐々に増加させる（ステップS82〜S84、S87、S91）。同時に、摩擦ブレーキトルクFBを、制御周期ごとに所定値CRBIncずつ徐々に減少させる（ステップS88、S92）。
【０２１２】
時刻t2では、摩擦ブレーキ必要増圧勾配Degpincが所定勾配Cdegpincと一致するため、摩擦ブレーキの減力から増力への切り替え、すなわち摩擦ブレーキトルク指令値FB*の減少から増加への切り替えを実行する。すなわち、時刻t2以降、回生ブレーキトルクRBを、制御周期ごとに上記勾配Degpinc（＝Cdegpinc）ずつ徐々に減少させる（ステップS84、S85、S91）。同時に、摩擦ブレーキトルクFBを、制御周期ごとに上記勾配Degpinc（＝Cdegpinc）ずつ徐々に増加させる（ステップS86、S92）。
【０２１３】
時刻t3において、現在車速Vcurが第2の変速要求車速Vnextにまで低下すると、第2の変速が要求される（ステップS82）。第2の変速要求があると、t3以前と同様に、回生ブレーキトルクRBを、制御周期ごとに上記勾配Degpinc（＝Cdegpinc）ずつ徐々に減少させる（ステップS85、S91）。同時に、摩擦ブレーキトルクFBを、制御周期ごとに上記勾配Degpinc（＝Cdegpinc）ずつ徐々に増加させる（ステップS86、S92）。
【０２１４】
時刻t4において、回生ブレーキトルクRBがゼロになり回生ブレーキトルクRBの減力が完了すると同時に、摩擦ブレーキトルクFBが目標ブレーキトルクTQ*となり摩擦ブレーキトルクFBの増力が完了する。このように回生ブレーキから摩擦ブレーキへの切り替えが完了すると、第2の変速を開始する。
【０２１５】
（従来技術との対比における本実施例1の作用効果）
本実施例３のブレーキ制御装置は、第１の変速が完了したt1後、第２の変速要求があるt3よりも早いタイミングのt2で摩擦ブレーキを減力から増力へ切り替え、回生ブレーキから摩擦ブレーキへ切り替えを開始することにより、ブレーキ制御時の摩擦ブレーキ増圧遅れを防止する。
【０２１６】
すなわち、第１の変速完了後、回生ブレーキから摩擦ブレーキへの切り替え完了までの要求時間Tfbnextを算出し、摩擦ブレーキの必要増圧勾配Degpincを推定する。さらに所定の増圧勾配Cdegpincを設けて、DegpincがCdegpincと一致するようになった時刻t2から、摩擦ブレーキトルク指令値FB*を所定勾配Degpinc＝Cdegpincで増加させることとした。
【０２１７】
よって、摩擦ブレーキの減力から増力への切り替え時刻t2の前後において、摩擦ブレーキを減圧状態から増圧状態に急に切り替えることがない。すなわち、上記のように、所定勾配Cdegpincは所定範囲内で充分に小さく設定されているため、摩擦ブレーキトルク指令値FB*の時間変化を示す直線の傾きは、t2の前後で、図１５の右肩上がり（減圧）から右肩下がり（増圧）へ緩やかに変化する。よって、図１５に示す角度α３が、従来技術に比べて大きい（α３>α）。
【０２１８】
このため、t2後、摩擦ブレーキトルク指令値FB*に対する摩擦ブレーキアクチュエータFBatrの増圧遅れが抑制され、第１の変速完了後、第２の変速要求があるまでの時間Tnextの長さに関わらず、車両減速度Gsが運転者の要求する目標減速度Gs*に対して不足する事態が防止される。
【０２１９】
（補足説明）
従来技術においては、強い減速が要求される場合、すなわちブレーキストローク量Sが大きく目標減速度Gs*が大きい場合には、第1の変速が完了し、摩擦ブレーキから回生ブレーキに切り替えている最中に第2の変速要求がなされ、摩擦ブレーキの増圧遅れが発生するおそれがある。
【０２２０】
本実施例３のブレーキ制御装置においては、回生ブレーキから摩擦ブレーキへの切り替え完了までの要求時間Tfbnextは、目標減速度Gs*に基づき算出される（Tnext＝ΔV／Gs*、Tfbnext＝Tnext＋Cftdelay）。目標減速度Gs*が大きい場合、算出されるTfbnextはその分だけ小さくなり、推定される増圧勾配Degpincは大きくなる（Degpinc＝RB*(n-1)/ Tfbnext）。よって、目標減速度Gs*が大きいほど、Degpincが所定勾配Cdegpincと一致するt2までの時間が短くなり、摩擦ブレーキトルクFBの増力を開始するタイミングはそれだけ早まる。言い換えると、目標減速度Gs*が大きく、第２の変速要求がなされるまでの時間Tnextが短い場合でも、必ず摩擦ブレーキトルクFBの増圧開始時t2における増圧勾配を緩やかにできる。したがって、目標減速度Gs*の大きさに関わらず、実際の車両減速度Gsが運転者の要求する目標減速度Gs*に対して不足する事態が防止される。
【０２２１】
なお、所定勾配Cdegpincの大きさは、実施例1の所定保持時間Choldの長さと同様、燃費の向上および車両減速度不足の効果的な防止等を衡量して設定される。
【０２２２】
また、従来技術においては、回生ブレーキから摩擦ブレーキへ切り替えて摩擦ブレーキの増圧を開始する時刻t3における回生ブレーキトルクRBが大きい（摩擦ブレーキトルクFBが小さい）ほど、t3後の摩擦ブレーキの増圧勾配が大きくなる（角度αが小さくなる）。このため、摩擦ブレーキの増圧遅れが発生しやすい。
【０２２３】
本実施例３のブレーキ制御装置においては、回生ブレーキトルク指令値RB*が大きいほど、推定される増圧勾配Degpincは大きくなる（Degpinc＝RB*(n-1)/ Tfbnext）。よって、Degpincが所定勾配Cdegpincと一致するt2までの時間が短くなり、摩擦ブレーキトルクFBの増力を開始するタイミングはそれだけ早まる。言い換えると、第1の変速完了後、回生ブレーキトルクRBが不必要に大きくなった時点で摩擦ブレーキの増力を開始するおそれはなく、必ず摩擦ブレーキトルクFBの増圧開始時t2における増圧勾配を緩やかにできる（α３>α）。したがって、実際の車両減速度Gsが運転者の要求する目標減速度Gs*に対して不足する事態が防止される。
【０２２４】
例えば、自動変速機ATのシフト位置が低速段側でありギヤ比（減速比）Gratioが大きい場合には、タイヤ端において出力される回生ブレーキトルクRBは、シフト位置が高速段側でありギヤ比Gratioが小さい場合よりも大きくなる。モータジェネレータMGの出力軸に同じ大きさの回生トルクが出力されているときでも、モータジェネレータMGの出力回転数（自動変速機ATへの入力回転数）は、低速段側のほうが高速段側よりも大きい（一方、タイヤ端の出力回転数（自動変速機ATの出力回転数）は同じである）からである。
【０２２５】
よって、従来技術においては、例えば第1の変速が４→３変速であるときよりも、３→２変速であるときの方が、タイヤ端での回生ブレーキトルクRBが大きくなる。したがって、ギヤ比Gratioが大きいほど、回生ブレーキから摩擦ブレーキへの切り替え時刻t3における回生ブレーキトルクRBが大きくなり、上記のように摩擦ブレーキの増圧遅れが発生しやすい。
【０２２６】
本実施例３のブレーキ制御装置においては、推定した増圧勾配Degpincと所定勾配Cdegpincとの比較に基づき、摩擦ブレーキトルクFBの増力開始タイミングt2を決定する。ギヤ比Gratioが大きいほど回生ブレーキトルクRBは大きくなるが、上記のように、回生ブレーキトルク指令値RB*が大きいほどDegpincを大きく推定する（Degpinc＝RB*(n-1)/ Tfbnext）ため、回生ブレーキトルクRBが不必要に大きくなった時点で摩擦ブレーキの増力を開始するおそれはなく、必ず摩擦ブレーキトルクFBの増圧開始時t2における増圧勾配を緩やかにできる（α３>α）。したがって、実際の車両減速度Gsが運転者の要求する目標減速度Gs*に対して不足する事態が防止される。
【０２２７】
［実施例３の効果］
本実施例３のブレーキ制御装置は、以下に列挙する効果を得ることができる。
【０２２８】
（１）本実施例３の車両減速度低下防止手段（ブレーキコントローラ１の各部１１〜１９、ATコントローラ２の各部２１〜２５）は、第１の変速終了後の上記第３制御中に、第２の変速が要求される以前の所定の時刻に、摩擦ブレーキトルク指令値FB*を減少から増加に切り換える摩擦ブレーキトルク切換開始時制御手段（ステップS80、S81、S84〜S86等）を有することとした。
【０２２９】
すなわち、本実施例３のブレーキ制御装置の回生ブレーキトルク指令値算出部１５は、回生ブレーキから摩擦ブレーキへの切り替え完了までの要求時間Tfbnextを算出し、この要求時間Tfbnextに基づき摩擦ブレーキトルクFBの増圧勾配Degpincを推定する摩擦ブレーキ必要増圧勾配推定部１６ｂを有することとした。また、回生ブレーキトルク指令値算出部１５は、この推定勾配Degpincに基づき、摩擦ブレーキトルクFBの増力を開始するタイミングを決定することとした。所定の増圧勾配Cdegpincを設けて、DegpincがCdegpincと一致するようになった時点t2から、摩擦ブレーキトルク指令値FB*を所定勾配Degpinc＝Cdegpincで増加させる。これにより、摩擦ブレーキの減力から増力への切り替え時点t2の前後において、摩擦ブレーキを減圧状態から増圧状態に急に切り替えることがない。このため、t2後、摩擦ブレーキトルク指令値FB*に対する摩擦ブレーキアクチュエータFBatrの増圧遅れが抑制され、第１の変速完了後、第２の変速要求があるまでの時間Tnextの長さに関わらず、運転者の要求する車両減速度Gsを満足させることができる、という効果を有する。
【０２３０】
（２）上記摩擦ブレーキトルク切換開始時制御手段は、目標減速度Gs*が大きいほど摩擦ブレーキトルク指令値FB*の減少から増加への切換を開始する時刻を早めることとした（ステップS79〜S81等）。
【０２３１】
すなわち、回生ブレーキから摩擦ブレーキへの切り替え完了までの要求時間Tfbnextを、目標減速度Gs*に基づき算出することとした（Tnext＝ΔV／Gs*、Tfbnext＝Tnext＋Cftdelay）。ブレーキストローク量Sが大きく目標減速度Gs*が大きい場合、算出されるTfbnextはその分だけ小さくなり、推定される増圧勾配Degpincは大きくなる（Degpinc＝RB*(n-1)/ Tfbnext）。よって、目標減速度Gs*が大きいほど、Degpincが所定勾配Cdegpincと一致するt2までの時間が短くなり、摩擦ブレーキトルクFBの増力を開始するタイミングはそれだけ早まる。言い換えると、目標減速度Gs*が大きく、第２の変速要求がなされるまでの時間が短い場合でも、必ず摩擦ブレーキトルクFBの増圧開始時t2における増圧勾配を緩やかにできる。したがって、目標減速度Gs*の大きさに関わらず、運転者の要求する車両減速度Gsを満足させることができる、という効果を有する。
【０２３２】
（３）上記摩擦ブレーキトルク切換開始時制御手段は、回生ブレーキトルク指令値RB*が大きいほど摩擦ブレーキトルク指令値FB*の減少から増加への切換を開始する時刻を早めることとした（ステップS81等）。
【０２３３】
すなわち、回生ブレーキトルク指令値RB*が大きいほど、推定される増圧勾配Degpincが大きくなることとした（Degpinc＝RB*(n-1)/ Tfbnext）。よって、回生ブレーキトルク指令値RB*が大きいほど、Degpincが所定勾配Cdegpincと一致するt2までの時間が短くなり、摩擦ブレーキトルクFBの増力を開始するタイミングはそれだけ早まる。言い換えると、摩擦ブレーキトルクFBの増圧開始時t2における増圧勾配を緩やかにできる（α３>α）。したがって、運転者の要求する車両減速度Gsを満足させることができる、という効果を有する。
【０２３４】
（４）上記摩擦ブレーキトルク切換開始時制御手段は、自動変速機ATの減速比（ギヤ比Gratio）が大きいほど摩擦ブレーキトルク指令値FB*の減少から増加への切換を開始する時刻を早めることとした（ステップS81等）。
【０２３５】
よって、回生ブレーキトルク指令値RB*が大きくなるギヤ比Gratio大の場合も、上記（３）のように、摩擦ブレーキトルクFBの増圧開始時t2における増圧勾配を緩やかにできる（α３>α）。したがって、運転者の要求する車両減速度Gsを満足させることができる、という効果を有する。
【０２３６】
以上、本発明のブレーキ制御装置を実施例１ないし３に基づき説明してきたが、具体的な構成については、これらの実施例に限られるものではなく、特許請求の範囲の各請求項に係る発明の要旨を逸脱しない限り、設計の変更や追加等は許容される。
【０２３７】
例えば、実施例１〜３では、自動変速機として有段式自動変速機を備えた車両に本発明のブレーキ制御装置を適用した構成を示したが、マニュアルモード付のベルト式無段変速機CVT等を備えた車両に本発明のブレーキ制御装置を適用することとしてもよい。これらのベルト式無段変速機CVT等においても、ギヤ比をステップ的に変更する（ステップ的に異なる変速段により変速する）ことが行われ、回生協調ブレーキ制御中に変速が要求されうるからである。
【図面の簡単な説明】
【０２３８】
【図１】本発明のブレーキ制御装置が適用された後輪駆動車両の概略システム図である。
【図２】本発明のブレーキコントローラおよびATコントローラの構成を示すブロック図である。
【図３】本発明の自動変速機のシフトマップである。
【図４】本発明の目標減速度算出部において目標減速度算出に用いられるマップである。
【図５】実施例１のブレーキ制御の流れを示すメインフローチャートである。
【図６】実施例１のブレーキ制御における最大回生可能トルク算出の流れを示すサブフローチャートである。
【図７】実施例１のブレーキ制御における回生ユニット側の最大回生可能トルク算出の流れを示すサブフローチャートである。
【図８】実施例１のブレーキ制御を従来技術と対比して示したタイムチャートである。
【図９】実施例１の摩擦ブレーキ応答性の実験結果を従来技術と対比して示したグラフである。
【図１０】実施例２のブレーキ制御の流れを示すメインフローチャートである。
【図１１】実施例２のブレーキ制御（ブレーキストローク量が略一定の場合）を従来技術と対比して示したタイムチャートである。
【図１２】実施例２のブレーキ制御（ブレーキペダルが踏み増された場合）を補正前と対比して示したタイムチャートである。
【図１３】実施例２のブレーキ制御（ブレーキペダルが踏み戻された場合）を補正前と対比して示したタイムチャートである。
【図１４】実施例３のブレーキ制御の流れを示すメインフローチャートである。
【図１５】実施例３のブレーキ制御を従来技術と対比して示したタイムチャートである。
【符号の説明】
【０２３９】
MG  モータジェネレータ
F/D  ファイナルギヤ・ディファレンシャル
DSL  左ドライブシャフト
DSR  右ドライブシャフト
RL  左後輪（駆動輪）
RR  右後輪（駆動輪）
FBatr  摩擦ブレーキアクチュエータ
１  ブレーキコントローラ
２  ATコントローラ
１１  目標減速度算出部
１２  目標ブレーキトルク算出部
１３  変速要求算出部
１４  最大回生可能トルク算出部
１５  次回変速要求時間算出部
１６  回生ブレーキトルク指令値算出部
１７  摩擦ブレーキトルク指令値算出部
１８  回生ブレーキトルク増力完了判定部
１９  変速許可判定部
２１  現在車速検出部
２２  次回変速要求車速算出部
２３  現在シフト位置検出部
２４  次回シフト位置算出部
２５  モータ回転数検出部
３１  ブレーキストロークセンサ
３２  車輪速センサ
３４  アクセル開度センサ
３５  車速センサ
３６  モータ回転数センサ
【図１】
2008013136.tif 000003
【図２】
2008013136.tif 000004
【図３】
2008013136.tif 000005
【図４】
2008013136.tif 000006
【図５】
2008013136.tif 000007
【図６】
2008013136.tif 000008
【図７】
2008013136.tif 000009
【図８】
2008013136.tif 000010
【図９】
2008013136.tif 000011
【図１０】
2008013136.tif 000012
【図１１】
2008013136.tif 000013
【図１２】
2008013136.tif 000014
【図１３】
2008013136.tif 000015
【図１４】
2008013136.tif 000016
【図１５】
2008013136.tif 000017